(57)【要約】オーディオ信号出力端子数を増加させることなく、サブウーハーを含めたチャンネル数が６を越えるオーディオ信号を同時に個別に出力可能な音響信号処理装置及び音響信号再生システムを提供する。  音響信号処理装置５０１は、所定のフォーマットのオーディオ入力信号をデコードし、８チャンネルのオーディオ信号と、２チャンネルのダウンミックスオーディオ信号とを出力する信号処理手段（デコード部５０２及びダウンミックス部５０３）と、デコード部５０２から出力された８チャンネルのオーディオ信号のうち、６チャンネルのオーディオ信号を個別に出力する第１の出力部５０４と、デコード部５０２から出力された８チャンネルのオーディオ信号のうち、第１の出力部５０４が出力する６チャンネルのオーディオ信号を除いた２チャンネルのオーディオ信号と、ダウンミックス部５０３から出力された２チャンネルのダウンミックスオーディオ信号とのいずれか一方を、外部からの設定に基づいて排他的に選択して出力する第２の出力部５０５とを備える。【特許請求の範囲】
【請求項１】
Ｎ（Ｎ：Ｎ≧３の自然数）チャンネルのオーディオ信号を個別に出力する音響信号処理装置であって、
所定のフォーマットのオーディオ入力信号をデコードし、前記Ｎチャンネルのオーディオ信号と、２チャンネルのダウンミックスオーディオ信号とを出力する信号処理手段と、
前記信号処理手段から出力された前記Ｎチャンネルのオーディオ信号のうち、（Ｎ−２）チャンネルのオーディオ信号を個別に出力する第１の出力手段と、
前記信号処理手段から出力された前記Ｎチャンネルのオーディオ信号のうち、前記第１の出力手段が出力する（Ｎ−２）チャンネルのオーディオ信号を除いた２チャンネルのオーディオ信号と、前記信号処理手段から出力された前記２チャンネルのダウンミックスオーディオ信号とのいずれか一方を、外部からの設定に基づいて排他的に選択して出力する第２の出力手段と
を備えることを特徴とする音響信号処理装置。
【請求項２】
前記信号処理手段は、
前記所定のフォーマットのオーディオ入力信号をデコードすることにより、前記Ｎチャンネルのオーディオ信号を出力する第１のデコード手段と、
前記第１のデコード手段から出力された前記Ｎチャンネルのオーディオ信号に対してダウンミックス処理を行うことにより、前記２チャンネルのダウンミックスオーディオ信号を出力するダウンミックス手段と
を備えることを特徴とする請求項１記載の音響信号処理装置。
【請求項３】
前記第１のデコード手段は、前記所定のフォーマットのオーディオ入力信号に含まれるチャンネル数、あるいは外部からの設定に基づき、Ｋ（Ｋ：Ｋ＜Ｎの自然数）チャンネルのオーディオ信号にデコードする場合に、（Ｎ−Ｋ）チャンネルの無音信号を出力する
ことを特徴とする請求項２記載の音響信号処理装置。
【請求項４】
前記信号処理手段は、
前記所定のフォーマットのオーディオ入力信号をデコードすることにより、Ｍ（Ｍ：Ｎ＞Ｍ≧２の自然数）チャンネルのオーディオ信号を出力する第２のデコード手段と、
前記第２のデコード手段から出力された前記Ｍチャンネルのオーディオ信号に対してダウンミックス処理を行うことにより、前記２チャンネルのダウンミックスオーディオ信号を出力する第２のダウンミックス手段と、
前記第２のデコード手段から出力された前記Ｍチャンネルのオーディオ信号に対してチャンネル拡張処理を施すことにより前記Ｎチャンネルのオーディオ信号を生成し、出力するチャンネル拡張手段と
を備えることを特徴とする請求項１記載の音響信号処理装置。
【請求項５】
前記チャンネル拡張手段は、前記所定のフォーマットのオーディオ入力信号に含まれるチャンネル数、あるいは外部からの設定に基づき、Ｌ（Ｌ：Ｎ＞Ｌ≧Ｍの自然数）チャンネルのオーディオ信号にチャンネル拡張する場合に、（Ｎ−Ｌ）チャンネルの無音信号を出力する
ことを特徴とする請求項４記載の音響信号処理装置。
【請求項６】
Ｎ（Ｎ：Ｎ≧３の自然数）チャンネルのオーディオ信号を個別に出力する音響信号処理装置に用いられる音響信号処理方法であって、
所定のフォーマットのオーディオ入力信号をデコードし、前記Ｎチャンネルのオーディオ信号と、２チャンネルのダウンミックスオーディオ信号とを出力する信号処理ステップと、
前記信号処理ステップにより出力された前記Ｎチャンネルのオーディオ信号のうち、（Ｎ−２）チャンネルのオーディオ信号を個別に出力する第１の出力ステップと、
前記信号処理ステップにより出力された前記Ｎチャンネルのオーディオ信号のうち、前記第１の出力ステップで出力する（Ｎ−２）チャンネルのオーディオ信号を除いた２チャンネルのオーディオ信号と、前記信号処理ステップにより出力された前記２チャンネルのダウンミックスオーディオ信号とのいずれか一方を、外部からの設定に基づいて排他的に選択して出力する第２の出力ステップと
を含むことを特徴とする音響信号処理方法。
【請求項７】
Ｎ（Ｎ：Ｎ≧３の自然数）チャンネルのオーディオ信号を出力する音響信号処理装置として機能する集積回路であって、
所定のフォーマットのオーディオ入力信号をデコードし、前記Ｎチャンネルのオーディオ信号と、２チャンネルのダウンミックスオーディオ信号とを出力する信号処理手段と、
前記信号処理手段から出力された前記Ｎチャンネルのオーディオ信号のうち、（Ｎ−２）チャンネルのオーディオ信号を個別に出力する第１の出力手段と、
前記信号処理手段から出力された前記Ｎチャンネルのオーディオ信号のうち、前記第１の出力手段が出力する（Ｎ−２）チャンネルのオーディオ信号を除いた２チャンネルのオーディオ信号と、前記信号処理手段から出力された前記２チャンネルのダウンミックスオーディオ信号とのいずれか一方を、外部からの設定に基づいて排他的に選択して出力する第２の出力手段と
を一体的に備えることを特徴とする集積回路。
【請求項８】
信号処理装置を用いて、Ｎ（Ｎ：Ｋ≧３の自然数）チャンネルのオーディオ信号をスピーカから再生すると共に、ダウンミックスしたオーディオ信号をヘッドフォンで再生する音響信号再生システムであって、
前記信号処理装置は、
所定のフォーマットのオーディオ入力信号をデコードし、前記Ｎチャンネルのオーディオ信号と、２チャンネルのダウンミックスオーディオ信号とを出力する信号処理手段と、
前記信号処理手段から出力された前記Ｎチャンネルのオーディオ信号のうち、（Ｎ−２）チャンネルのオーディオ信号を個別に出力する第１の出力手段と、
前記信号処理手段から出力された前記Ｎチャンネルのオーディオ信号のうち、前記第１の出力手段が出力する（Ｎ−２）チャンネルのオーディオ信号を除いた２チャンネルのオーディオ信号と、前記信号処理手段から出力された前記２チャンネルのダウンミックスオーディオ信号とのいずれか一方を、外部からの設定に基づいて排他的に選択して出力する第２の出力手段とを備え、
前記音響信号再生システムは、さらに前記第２の出力手段から出力されたオーディオ信号を、前記スピーカと前記ヘッドフォンのいずれか一方に対する出力として接続態様を切り替えることが可能な出力切替手段を備え、
前記出力切替手段は、前記接続態様に応じたオーディオ信号を前記第２の出力手段から出力させるための制御信号を前記外部からの設定として前記第２の出力手段に対して出力する
ことを特徴とする音響信号再生システム。
【請求項９】
前記出力切替手段は、ミュート機能を有するデジタルアナログ変換手段により構成されている
ことを特徴とする請求項８記載の音響信号再生システム。
【請求項１０】
前記出力切替手段は、ミュート機能を有するパワーアンプにより構成されている
ことを特徴とする請求項８記載の音響信号再生システム。
【請求項１１】
前記音響信号再生システムは、さらに前記ヘッドフォンが接続されているか否かを検出するヘッドフォン検出手段を備え、
前記出力切替手段は、前記ヘッドフォン検出手段が前記ヘッドフォンが接続されていることを検出している場合に、前記第２の出力手段が前記信号処理手段から出力された前記２チャンネルのダウンミックスオーディオ信号を出力し、かつ、前記ヘッドフォン検出手段が前記ヘッドフォンが接続されていないことを検出している場合に、前記第２の出力手段が前記信号処理手段から出力された前記Ｎチャンネルのオーディオ信号のうち、前記第１の出力手段が出力する（Ｎ−２）チャンネルのオーディオ信号を除いた２チャンネルのオーディオ信号を出力するようにさせるための制御信号を、前記外部からの設定として前記第２の出力手段に対して出力する
ことを特徴とする請求項８記載の音響信号再生システム。
【発明の詳細な説明】
【技術分野】
【０００１】  本発明は、マルチチャンネルオーディオ信号のデコード処理を行う音響信号処理装置及び音響信号再生システムに関するものである。
【背景技術】
【０００２】  マルチチャンネルオーディオフォーマットとしては、ＤＶＤ（Ｄｉｇｉｔａｌ  Ｖｅｒｓａｔｉｌｅ  Ｄｉｓｃ）などで用いられるドルビーデジタル（「ドルビー」はドルビーラボラトリーズの商標である）、ＤＴＳ（「ＤＴＳ」はデジタルシアターシステムズ社の登録商標である）やデジタルテレビ放送などで用いられるＭＰＥＧ−ＡＡＣ（Ｍｏｖｉｎｇ  Ｐｉｃｔｕｒｅ  Ｅｘｐｅｒｔｓ  Ｇｒｏｕｐ−Ａｄｖｅｎｃｅｄ  Ａｕｄｉｏ  Ｃｏｄｅｃ）などの５．１チャンネルサラウンドが一般的になっている。この５．１チャンネルサラウンドシステムは、図１に示されるように、フロント左右（Ｌ，Ｒ）の２チャンネル、フロントセンター（Ｃ）の１チャンネル、サラウンド左右（ＳＬ，ＳＲ）の２チャンネルの合計５チャンネルと、サブウーハー（ＳＷ）とが、スピーカ配置として規定されている。【０００３】  ところが近年、ドルビーデジタルＥＸ（６．１チャンネルサラウンド）や、ＤＴＳ−ＥＳ（６．１チャンネルサラウンド、「ＤＴＳ−ＥＳ」はデジタルシアターシステムズ社の登録商標である）、ドルビープロロジックＩＩｘ（７．１チャンネルサラウンド）といった、サブウーハーを含めたチャンネル数が６を越えるオーディオフォーマットや、チャンネル拡張処理が規格化されている。６．１チャンネルサラウンドシステムは、図２に示されるように、５．１チャンネルサラウンドシステムのスピーカ配置に加えて、サラウンドセンター（ＳＣ）の１チャンネルを加えたものである。７．１チャンネルサラウンドシステムは、図３に示されるように、５．１チャンネルサラウンドシステムのスピーカ配置に加えて、バックサラウンド左右（ＢＬ、ＢＲ）の２チャンネルを加えたものである。【０００４】  このようなチャンネル数が６を越えるマルチャンネルオーディオ信号に対応したマルチチャンネルオーディオ信号処理装置をＬＳＩとして実現する場合、オーディオ信号のチャンネル数の増加に対応するためには、一般に出力端子数を増やす必要がある。【０００５】  しかしながら、出力端子数を増やすことは、ＬＳＩのサイズを増大させることになり、ひいてはＬＳＩのコスト上昇につながる。【０００６】  そこで、出力端子数を増加させずにサブウーハーを含めたチャンネル数が６を越えるオーディオフォーマットに対応するものとして、特許文献１に記載されたマルチチャンネルオーディオ信号処理装置がある。【０００７】  このマルチチャンネルオーディオ信号処理装置においては、６を越えるチャンネル数のオーディオ信号をデコードしたのち、これをダウンミックスすることで６以下のチャンネル数のオーディオ信号を出力する。したがって、出力端子数を増やすことなくサブウーハーを含めたチャンネル数が６を越えるオーディオフォーマットに対応することができる。【０００８】  一方で、図４に示されるように、５．１チャンネルサラウンドのオーディオ信号処理装置４０１においては、オーディオ入力信号を６チャンネルのオーディオ信号にデコードする５．１チャンネルデコード部４０２や、デコードされた６チャンネルのオーディオ信号を個別に出力するためのオーディオ信号出力端子４０４の他に、ヘッドフォン出力用に６チャンネルのオーディオ信号をＤＬ��ＤＲのオーディオ信号にダウンミックスするダウンミックス部４０３、ダウンミックスされたＤＬ，ＤＲのオーディオ信号を出力するダウンミックスオーディオ信号出力端子４０５を備えるものがある。
【特許文献１】特開２００１−３５２５９９号公報
【発明の開示】
【発明が解決しようとする課題】
【０００９】  しかしながら、図４に記載のオーディオ信号処理装置においては、一般にヘッドフォンとスピーカの両方から同時に再生することはないので、スピーカ出力時にはダウンミックス端子が有効に利用されていないという問題がある。【００１０】  また、特許文献１に記載のマルチチャンネルオーディオ信号処理装置においては、その出力のチャンネル数を８から７や、６に減らし、スピーカから再生するようにしているので、６を越えるチャンネル数のオーディオ信号を同時に出力することができず、６．１チャンネルサラウンドや７．１チャンネルサラウンドのもつ本来の臨場感は失われてしまうという問題がある。【００１１】  本発明は係る事情に鑑みてなされたものであり、オーディオ信号出力端子数を増加させることなく、サブウーハーを含めたチャンネル数が６を越えるオーディオ信号を同時に個別に出力可能な音響信号処理装置及び音響信号再生システムを提供することを目的とする。
【課題を解決するための手段】
【００１２】  上記目的を達成するために、本発明に係る音響信号処理装置においては、Ｎ（Ｎ：Ｎ≧３の自然数）チャンネルのオーディオ信号を個別に出力する音響信号処理装置であって、所定のフォーマットのオーディオ入力信号をデコードし、前記Ｎチャンネルのオーディオ信号と、２チャンネルのダウンミックスオーディオ信号とを出力する信号処理手段と、前記信号処理手段から出力された前記Ｎチャンネルのオーディオ信号のうち、（Ｎ−２）チャンネルのオーディオ信号を個別に出力する第１の出力手段と、前記信号処理手段から出力された前記Ｎチャンネルのオーディオ信号のうち、前記第１の出力手段が出力する（Ｎ−２）チャンネルのオーディオ信号を除いた２チャンネルのオーディオ信号と、前記信号処理手段から出力された前記２チャンネルのダウンミックスオーディオ信号とのいずれか一方を、外部からの設定に基づいて排他的に選択して出力する第２の出力手段とを備えることを特徴とする。【００１３】  これにより、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用するができるため、オーディオ信号出力端子数を増加させることなく、サブウーハーを含めたチャンネル数が６を越えるオーディオ信号を同時に個別に出力可能な音響信号処理装置を提供することができる。【００１４】  また、本発明に係る音響信号処理装置においては、前記信号処理手段は、前記所定のフォーマットのオーディオ入力信号をデコードすることにより、前記Ｎチャンネルのオーディオ信号を出力する第１のデコード手段と、前記第１のデコード手段から出力された前記Ｎチャンネルのオーディオ信号に対してダウンミックス処理を行うことにより、前記２チャンネルのダウンミックスオーディオ信号を出力するダウンミックス手段とを備えることを特徴とすることができる。【００１５】  また、本発明に係る音響信号処理装置においては、前記第１のデコード手段は、前記所定のフォーマットのオーディオ入力信号に含まれるチャンネル数、あるいは外部からの設定に基づき、Ｋ（Ｋ：Ｋ＜Ｎの自然数）チャンネルのオーディオ信号にデコードする場合に、（Ｎ−Ｋ）チャンネルの無音信号を出力することを特徴とすることもできる。【００１６】  また、本発明に係る音響信号処理装置においては、前記信号処理手段は、前記所定のフォーマットのオーディオ入力信号をデコードすることにより、Ｍ（Ｍ：Ｎ＞Ｍ≧２の自然数）チャンネルのオーディオ信号を出力する第２のデコード手段と、前記第２のデコード手段から出力された前記Ｍチャンネルのオーディオ信号に対してダウンミックス処理を行うことにより、前記２チャンネルのダウンミックスオーディオ信号を出力する第２のダウンミックス手段と、前記第２のデコード手段から出力された前記Ｍチャンネルのオーディオ信号に対してチャンネル拡張処理を施すことにより前記Ｎチャンネルのオーディオ信号を生成し、出力するチャンネル拡張手段とを備えることを特徴とすることができる。【００１７】  また、本発明に係る音響信号処理装置においては、前記チャンネル拡張手段は、前記所定のフォーマットのオーディオ入力信号に含まれるチャンネル数、あるいは外部からの設定に基づき、Ｌ（Ｌ：Ｎ＞Ｌ≧Ｍの自然数）チャンネルのオーディオ信号にチャンネル拡張する場合に、（Ｎ−Ｌ）チャンネルの無音信号を出力することを特徴とすることもできる。【００１８】  また、上記目的を達成するために、本発明に係る音響信号再生システムにおいては、信号処理装置を用いて、Ｎ（Ｎ：Ｋ≧３の自然数）チャンネルのオーディオ信号をスピーカから再生すると共に、ダウンミックスしたオーディオ信号をヘッドフォンで再生する音響信号再生システムであって、前記信号処理装置は、所定のフォーマットのオーディオ入力信号をデコードし、前記Ｎチャンネルのオーディオ信号と、２チャンネルのダウンミックスオーディオ信号とを出力する信号処理手段と、前記信号処理手段から出力された前記Ｎチャンネルのオーディオ信号のうち、（Ｎ−２）チャンネルのオーディオ信号を個別に出力する第１の出力手段と、前記信号処理手段から出力された前記Ｎチャンネルのオーディオ信号のうち、前記第１の出力手段が出力する（Ｎ−２）チャンネルのオーディオ信号を除いた２チャンネルのオーディオ信号と、前記信号処理手段から出力された前記２チャンネルのダウンミックスオーディオ信号とのいずれか一方を、外部からの設定に基づいて排他的に選択して出力する第２の出力手段とを備え、前記音響信号再生システムは、さらに前記第２の出力手段から出力されたオーディオ信号を、前記スピーカと前記ヘッドフォンのいずれか一方に対する出力として接続態様を切り替えることが可能な出力切替手段を備え、前記出力切替手段は、前記接続態様に応じたオーディオ信号を前記第２の出力手段から出力させるための制御信号を前記外部からの設定として前記第２の出力手段に対して出力することを特徴とする。【００１９】  これにより、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用するができるため、オーディオ信号出力端子数を増加させることなく、サブウーハーを含めたチャンネル数が６を越えるオーディオ信号を同時に個別に出力可能な音響信号再生システムを提供することができる。【００２０】  また、本発明に係る音響信号再生システムにおいては、前記出力切替手段は、ミュート機能を有するデジタルアナログ変換手段により構成されていることを特徴とすることができる。【００２１】  また、本発明に係る音響信号再生システムにおいては、前記出力切替手段は、ミュート機能を有するパワーアンプにより構成されていることを特徴とすることもできる。【００２２】  また、本発明に係る音響信号再生システムにおいては、前記音響信号再生システムは、さらに前記ヘッドフォンが接続されているか否かを検出するヘッドフォン検出手段を備え、前記出力切替手段は、前記ヘッドフォン検出手段が前記ヘッドフォンが接続されていることを検出している場合に、前記第２の出力手段が前記信号処理手段から出力された前記２チャンネルのダウンミックスオーディオ信号を出力し、かつ、前��ヘッドフォン検出手段が前記ヘッドフォンが接続されていないことを検出している場合に、前記第２の出力手段が前記信号処理手段から出力された前記Ｎチャンネルのオーディオ信号のうち、前記第１の出力手段が出力する（Ｎ−２）チャンネルのオーディオ信号を除いた２チャンネルのオーディオ信号を出力するようにさせるための制御信号を、前記外部からの設定として前記第２の出力手段に対して出力することを特徴とすることもできる。【００２３】  なお、本発明は、このような音響信号処理装置や、音響信号再生システムとして実現することができるだけでなく、このような音響信号処理装置が備える特徴的な手段をステップとする音響信号処理方法として実現したり、それらのステップをコンピュータに実行させるプログラムとして実現したり、一体的に集積した集積回路として実現することもできる。そして、そのようなプログラムは、ＣＤ−ＲＯＭ等の記録媒体やインターネット等の伝送媒体を介して配信することができるのは言うまでもない。
【発明の効果】
【００２４】  以上の説明から明らかなように、本発明に係る音響信号処理装置や、音響信号再生システムによれば、オーディオ信号出力端子数を増加させることなく、サブウーハーを含めて６チャンネルを越えるオーディオ信号を同時に個別に出力可能な音響信号処理装置及び音響信号再生システムを提供することが可能となる。【００２５】  よって、本発明により、多チャンネル化が図られたＤＶＤ等のソースが普及してきた今日における本願発明の実用的価値は極めて高い。
【図面の簡単な説明】
【００２６】
【図１】図１は、５．１チャンネルのマルチチャンネルサラウンドシステムを示す図である。
【図２】図２は、６．１チャンネルのマルチチャンネルサラウンドシステムを示す図である。
【図３】図３は、７．１チャンネルのマルチチャンネルサラウンドシステムを示す図である。
【図４】図４は、従来の５．１チャンネルサラウンドのオーディオ信号処理装置の構成を示す図である。
【図５】図５は、本発明の実施の形態１，２に係る音響信号処理装置の構成を示す図である。
【図６】図６は、本発明の実施の形態３に係る音響信号処理装置の構成を示す図である。
【図７】図７は、本発明の実施の形態４，５に係る音響信号処理装置の構成を示す図である。
【図８】図８は、本発明の実施の形態６に係る音響信号再生システムの全体構成を示す図である。
【図９】図９は、本発明の実施の形態７に係る音響信号再生システムの全体構成を示す図である。
【図１０】図１０は、本発明の実施の形態８に係る音響信号再生システムの全体構成を示す図である。
【図１１】図１１は、本発明の実施の形態９に係る音響信号再生システムの全体構成を示す図である。
【符号の説明】
【００２７】  ５０１，６０１，７０１，８０１，
９０１，１００１，１１０１              音響信号処理装置
５０２，６０２，７０２                    デコード部
５０３，６０３，７０３                    ダウンミックス部
５０４，６０４，７０４，８０４，
９０４，１００４，１１０４              第１の出力部
５０５，６０５，７０５，
８０５，９０５，１００５，１１０５      第２の出力部
７０６                                    チャンネル拡張部
８００，９００，１０００，１１００        音響信号再生システム
８０７，９０７，１００７                  出力切替部
８１１〜８１８，９１１〜９２０，
１０１１〜１０１８，１１１１〜１１１８  ＤＡＣ
８２１〜８３０，９２１〜９３０，
１０２１〜１０３０，１１２１〜１１３０  パワーアンプ
８３１〜８３８，９３１〜９３８，
１０３１〜１０３８，１１３１〜１１３８  スピーカ
８４１，９４１，１０４１，１１４１        ヘッドフォン
１１０９                                  ヘッドフォン検出部
【発明を実施するための最良の形態】
【００２８】  以下、本発明の実施の形態について、図面を用いて詳細に説明する。【００２９】  （実施の形態１）
図５は、本発明の実施の形態１に係る音響信号処理装置の構成を示す図である。なお、図５においては、Ｎ＝８の場合が示されている。【００３０】  図５に示されるように、音響信号処理装置５０１は、デコード部５０２と、ダウンミックス部５０３と、第１の出力部５０４と、第２の出力部５０５とを備える。なお、デコード部５０２と、ダウンミックス部５０３とで、信号処理手段を構成する。【００３１】  デコード部５０２は、オーディオ入力信号をデコード（例えばドルビープロロジックＩＩｘデコード）し、Ｌ，Ｒ，Ｃ，ＳＷ，ＳＬ，ＳＲ，ＢＬ，ＢＲの８チャンネルのオーディオ信号を出力する。【００３２】  ダウンミックス部５０３は、デコード部５０２から出力されたＬ，Ｒ，Ｃ，ＳＷ，ＳＬ，ＳＲ，ＢＬ，ＢＲのオーディオ信号をダウンミックスして、ＤＬ，ＤＲの２チャンネルのオーディオ信号を出力する。【００３３】  第１の出力部５０４は、６つの出力端子と、これらの出力端子に接続される６本の信号線とを有し、デコード部５０２から出力されたＬ，Ｒ，Ｃ，ＳＷ，ＳＬ，ＳＲ，ＢＬ，ＢＲのオーディオ信号のうち、ＢＬ，ＢＲを除くＬ，Ｒ，Ｃ，ＳＷ，ＳＬ，ＳＲのオーディオ信号を個別に出力する。【００３４】  第２の出力部５０５は、２つの出力端子と、これらの出力端子に接続される２本の信号線と、２つのスイッチとを有し、デコード部５０２から出力されたＢＬ，ＢＲのオーディオ信号と、ダウンミックス部５０３から出力されたＤＬ，ＤＲのオーディオ信号が入力され、外部からの設定（指示）に基づいて、ＢＬ，ＢＲのオーディオ信号と、ＤＬ，ＤＲのオーディオ信号とのいずれか一方を選択して出力する。つまり、ＢＬ，ＢＲのオーディオ信号と、ＤＬ，ＤＲのオーディオ信号とを排他的に出力する。【００３５】  このような構成により、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用するができるため、オーディオ信号出力端子数を増加させることなく、サブウーハーを含めたチャンネル数が６を越えるオーディオ信号を同時に個別に出力可能な音響信号処理装置を提供することができる。【００３６】  なお、本実施の形態１では、デコード部５０２において８チャンネルにデコードする場合について説明したが、デコード部５０２においてＬ，Ｒ，Ｃ，ＳＷ，ＳＬ，ＳＲ，ＳＣの７チャンネルのオーディオ信号にデコードし、ＳＣのオーディオ信号をＢＬとＢＲとのオーディオ信号に分割して出力するようにしてもよい。【００３７】  また、本実施の形態１では、ＢＬ，ＢＲのオーディオ信号を第２の出力部５０５に入力しているが、デコード部５０２から出力された任意の２個のチャンネルのオーディオ信号を入力してもかまわない。この場合には、第２の出力部５０５に入力した残りのオーディオ信号を第１の出力部５０４を介して出力すればよい。【００３８】  また、本実施の形態１では、ドルビープロロジックＩＩｘデコードの場合について説明したが、他の方式のデコードの場合についても本願発明を適用してもよい。【００３９】  （実施の形態２）
なお、デコード部５０２を、オーディオ入力信号に含まれるチャンネル数、あるいは外部からの設定に基づき、Ｋ（Ｋ：Ｋ＜Ｎの自然数）チャンネルのオーディオ信号にデコードする場合に、（Ｎ−Ｋ）チャンネルの無音信号を出力するように構成してもよい。【００４０】  ここで、Ｎ＝８の場合について図５を参照して説明する。【００４１】  デコード部５０２においてＬ，Ｒ，Ｃ，ＳＷ，ＳＬ，ＳＲの６チャンネルのオーディオ信号にデコード（例えばドルビーデジタルデコード）する場合、Ｋ＝６となり、Ｎ−Ｋ＝２である。この場合、デコード部５０２は、ＢＬ，ＢＲとして無音信号を出力する。【００４２】  これにより、６チャンネルのオーディオ信号にデコードする場合で第２の出力部５０５においてＢＬ、ＢＲを出力するよう設定された場合でも、ＢＬ，ＢＲからノイズが出力されることを防ぐことができる。【００４３】  また、デコード部５０２においてＬ、Ｒ，Ｃ，ＳＷ，ＳＬ，ＳＲ，ＳＣ（出力端子はＳＬ）の７チャンネルのオーディオ信号にデコード（例えばドルビーデジタルＥＸデコード）する場合は、Ｋ＝７となり、Ｎ−Ｋ＝１である。この場合、デコード部５０２のＢＬ出力からＳＣチャンネルオーディオ信号を出力し、ＢＲ出力から無音信号を出力すればよい。【００４４】  （実施の形態３）
図６は、本発明の実施の形態３に係る音響信号処理装置の構成を示す図である。なお、図６においては、Ｎ＝７の場合が示されている。【００４５】  図６に示されるように、音響信号処理装置６０１は、デコード部６０２と、ダウンミックス部６０３と、第１の出力部６０４と、第２の出力部６０５とを備える。なお、デコード部６０２と、ダウンミックス部６０３と、第１の出力部６０４と、第２の出力部６０５とは、処理するオーディオ信号のチャンネル数やそのオーディオ信号の種別が異なる点を除き、上述した音響信号処理装置５０１のデコード部５０２、ダウンミックス部５０３、第１の出力部５０４、第２の出力部５０５と同機能を有している。【００４６】  つまり、デコード部６０２は、オーディオ入力信号をデコード（例えばドルビーデジタルＥＸデコード）し、Ｌ，Ｒ，Ｃ，ＳＷ，ＳＬ，ＳＲ，ＳＣの７チャンネルのオーディオ信号を出力する。【００４７】  ダウンミックス部６０３は，デコード部６０２から出力されたＬ，Ｒ，Ｃ，ＳＷ，ＳＬ，ＳＲ，ＳＣのオーディオ信号をダウンミックスして、ＤＬ，ＤＲの２チャンネルのオーディオ信号を出力する。【００４８】  第１の出力部６０４は、デコード部６０２から出力されたＬ，Ｒ，Ｃ，ＳＷ，ＳＬ，ＳＲ，ＳＣの７チャンネルのオーディオ信号のうち、ＳＬ，ＳＲを除くＬ，Ｒ，Ｃ，ＳＷ，ＳＣの５チャンネルのオーディオ信号を個別に出力する。【００４９】  第２の出力部６０５は、デコード部６０２から出力されたＳＬ，ＳＲのオーディオ信号と、ダウンミックス部６０３から出力されたＤＬ，ＤＲのオーディオ信号が入力され、外部からの設定（指示）に基づいて、ＳＬ，ＳＲのオーディオ信号と、ＤＬ，ＤＲのオーディオ信号とのいずれか一方を選択して出力する。【００５０】  これによっても、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用するができるため、オーディオ信号出力端子数を増加させることなく、サブウーハーを含めたチャンネル数が６を越えるオーディオ信号を同時に個別に出力可能な音響信号処理装置を提供することができる。【００５１】  なお、本実施の形態３では、ＳＬ，ＳＲのオーディオ信号を第２の出力部６０５に入力しているが、デコード部６０２から出力された任意の２個のチャンネルのオーディオ信号を入力してもかまわない。この場合には、第２の出力部６０５に入力した残りのオーディオ信号を第１の出力部６０４を介して出力すればよい。【００５２】  また、本実施の形態３では、ドルビーデジタルＥＸデコードの場合について説明したが、他の方式のデコードの場合についても本願発明を適用してもよい。【００５３】  さらに、上記実施の形態１，３ではＮ＝８，７の場合について説明したが、Ｎ＝６の場合についても、本願発明を適用してもよい。【００５４】  また、デコード部６０２に、オーディオ入力信号に含まれるチャンネル数、あるいは外部からの設定に基づき、Ｋ（Ｋ：Ｋ＜Ｎの自然数）チャンネルのオーディオ信号にデコードする場合に、（Ｎ−Ｋ）チャンネルの無音信号を出力するように���てもよい。【００５５】  （実施の形態４）
図７は、本発明の実施の形態４に係る音響信号処理装置の構成を示す図である。なお、図７においては、Ｍ＝６、Ｎ＝８の場合が示されている。【００５６】  図７に示されるように、音響信号処理装置７０１は、デコード部７０２と、ダウンミックス部７０３と、第１の出力部７０４と、第２の出力部７０５との他、さらにチャンネル拡張部７０６を備える。なお、デコード部７０２と、ダウンミックス部７０３と、第１の出力部７０４と、第２の出力部７０５とは、処理するオーディオ信号のチャンネル数やそのオーディオ信号の種別が異なる点を除き、上述した音響信号処理装置５０１，６０１のデコード部５０２，６０２、ダウンミックス部５０３，６０３、第１の出力部５０４，６０４、第２の出力部５０５，６０５と同機能を有している。また、この実施の形態においては、デコード部７０２と、ダウンミックス部７０３と、チャンネル拡張部７０６とで、信号処理手段を構成する。【００５７】  つまり、デコード部７０２は、オーディオ入力信号をデコード（例えばドルビーデジタルデコード）し、Ｌ，Ｒ，Ｃ，ＳＷ，ＳＬ，ＳＲの６チャンネルのオーディオ信号を出力する。【００５８】  ダウンミックス部７０３は、デコード部７０２から出力されたＬ，Ｒ，Ｃ，ＳＷ，ＳＬ，ＳＲのオーディオ信号をダウンミックスして、ＤＬ，ＤＲの２チャンネルのオーディオ信号を出力する。【００５９】  チャンネル拡張部７０６は、デコード部７０２から出力されたＬ，Ｒ，Ｃ，ＳＷ，ＳＬ，ＳＲの６チャンネルのオーディオ信号についてチャンネル拡張処理（例えばプロロジックＩＩｘデコード）を行い、このチャンネル拡張処理によりＬ，Ｒ，Ｃ，ＳＷ，ＳＬ，ＳＲ，ＢＬ，ＢＲの８チャンネルのオーディオ信号を出力する。【００６０】  第１の出力部７０４は、チャンネル拡張部７０６から出力されたＬ，Ｒ，Ｃ，ＳＷ，ＳＬ，ＳＲ，ＢＬ，ＢＲのうち、ＢＬ，ＢＲを除くＬ，Ｒ，Ｃ，ＳＷ，ＳＬ，ＳＲのオーディオ信号を個別に出力する。【００６１】  第２の出力部７０５は、チャンネル拡張部７０６から出力されたＢＬ，ＢＲのオーディオ信号と、ダウンミックス部７０３から出力されたＤＬ，ＤＲのオーディオ信号がそれぞれ入力され、外部からの設定指示に基づいて、ＢＬ，ＢＲのオーディオ信号と、ＤＬ，ＤＲのオーディオ信号とのいずれか一方を選択して出力する。【００６２】  これによっても、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用するができるため、オーディオ信号出力端子数を増加させることなく、サブウーハーを含めたチャンネル数が６を越えるオーディオ信号を同時に個別に出力可能な音響信号処理装置を提供することができる。【００６３】  そして、５．１チャンネルのソースが大半で、それを越える多チャンネルのソースが少ない現状の下においても、５．１チャンネルのソースからそれを越える多チャンネルのオーディオ信号を出力することができ、実用的価値を高めることができる。【００６４】  なお、本実施の形態４では、チャンネル拡張部７０６においてＬ，Ｒ，Ｃ，ＳＷ，ＳＬ，ＳＲ，ＳＣの７チャンネルのオーディオ信号に拡張（例えばドルビーデジタルＥＸデコード）し、ＳＣをＢＬとＢＲに分割して出力してもよい。【００６５】  また、本実施の形態４では、ＢＬ，ＢＲを第２の出力部に入力しているが、チャンネル拡張部７０６から出力された任意の２個のチャンネルのオーディオ信号を入力してもかまわない。【００６６】  （実施の形態５）
なお、この音響信号処理装置７０１においても、チャンネル拡張部７０６を、オーディオ入力信号に含まれるチャンネル数、あるいは外部からの設定に基づき、Ｌ（Ｌ：Ｎ＞Ｌ≧Ｍの自然数）チャンネルのオーディオ信号にチャンネル拡張する場合に、（Ｎ−Ｌ）チャンネルの無音信号を出力するように構成してもよい。【００６７】  ここでは、Ｍ＝６、Ｎ＝８の場合が示されている。【００６８】  チャンネル拡張部７０６においてチャンネル拡張処理を行わない場合、Ｌ＝６、Ｎ−Ｌ＝２となる。【００６９】  この場合、チャンネル拡張部７０６はＬ，Ｒ，Ｃ，ＳＷ，ＳＬ，ＳＲについては入力信号をそのまま出力し、ＢＬ，ＢＲに対しては無音信号を出力する。これにより、チャンネル拡張処理を行わない場合で第２の出力部７０５においてＢＬ，ＢＲを出力するよう設定された場合でも、ＢＬ，ＢＲからノイズが出力されることを防ぐことができる。【００７０】  また、チャンネル拡張部７０６においてＬ，Ｒ，Ｃ，ＳＷ，ＳＬ，ＳＲ，ＳＣの７チャンネルのオーディオ信号に拡張処理（例えばドルビーデジタルＥＸデコード）する場合はＬ＝７であり、Ｎ−Ｌ＝１となる。この場合、チャンネル拡張部７０６のＢＬ出力からＳＣチャンネルオーディオ信号を出力し、ＢＲ出力から無音信号を出力すればよい。【００７１】  （実施の形態６）
図８は、本発明の実施の形態６に係る音響信号再生システムの全体構成を示す図である。なお、ここでは、Ｎ＝８の場合が図示されている。【００７２】  図８に示されるように、音響信号再生システム８００は、音響信号処理装置８０１と、ＤＡＣ（Ｄｉｇｉｔａｌ−Ａｎａｌｏｇ  Ｃｏｎｖｅｒｔｅｒ）８１１〜８１８と、出力切替部８０７と、パワーアンプ８２１〜８３０と、スピーカ８３１〜８３８と、ヘッドフォン８４１とから構成される。【００７３】  音響信号処理装置８０１の第１の出力部８０４から出力されたＬ，Ｒ，Ｃ，ＳＷ，ＳＬ，ＳＲのオーディオ信号は、各チャンネル個別にＤＡＣ８１１〜８１６に接続され、アナログ信号に変換された後、パワーアンプ８２１〜８２６にて増幅されてスピーカ８３１〜８３６から再生される。【００７４】  一方、音響信号処理装置８０１の第２の出力部８０５から出力されたＢＬ，ＢＲと、ＤＬ，ＤＲとのいずれか一方のオーディオ信号はＤＡＣ８１７，８１８にてアナログ信号に変換された後、外部からの設定にしたがって出力切替部８０７にてスピーカ出力するかまたはヘッドフォン出力するか選択される。【００７５】  出力切替部８０７にてスピーカ出力するよう設定された場合、出力切替部８０７から第２の出力部８０５に対してＢＬ，ＢＲのオーディオ信号を選択するよう制御信号を出力し、出力切替部８０７はパワーアンプ８２７，８２８に対してＢＬ，ＢＲのオーディオ信号を出力する。パワーアンプ８２７，８２８にてＢＬ、ＢＲのオーディオ信号が増幅され、スピーカ８３７，８３８から再生される。【００７６】  出力切替部８０７にてヘッドフォン出力するよう設定された場合、出力切替部８０７から第２の出力部８０５に対してＤＬ，ＤＲのオーディオ信号を選択するよう制御信号を出力し、出力切替部８０７は、パワーアンプ８２９，８３０に対してＤＬ，ＤＲのオーディオ信号を出力する。パワーアンプ８２９，８３０にてＤＬ，ＤＲのオーディオ信号が増幅され、ヘッドフォン８４１から再生される。なお、この場合、ＤＡＣ８１１〜８１６あるいはパワーアンプ８２１〜８２６などでスピーカ出力をミュートすればよい。【００７７】  これにより、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用するができるため、オーディオ信号出力端子数を増加させることなく、サブウーハーを含めたチャンネル数が６を越えるオーディオ信号を同時に個別に出力可能な音響信号処理装置を提供することができる。【００７８】  （実施の形態７）
図９は、本発明の実施の形態７に係る音響信号再生システムの全体構成を示す図である。なお、ここでは、Ｎ＝８の場合が図示されている。【００７９】  図９に示されるように、音響信号再生システム９００は、音響信号処理装置９０１と、ＤＡＣ９１１〜９２０と、パワーアンプ９２１〜９３０と、スピーカ９３１〜９３８と、ヘッドフォン９４１とから構成される。なお、ＤＡＣ９１７〜９２０により、出力切替部９０７が構成される。【００８０】  音響信号処理装置９０１の第１の出力部９０４から出力されたＬ，Ｒ，Ｃ，ＳＷ，ＳＬ，ＳＲのオーディオ信号は各チャンネル個別にＤＡＣ９１１〜９１６に接続され、アナログ信号に変換された後、パワーアンプ９２１〜９２６にて増幅されてスピーカ９３１〜９３６から再生される。【００８１】  一方、第２の出力部９０５から出力されたＢＬ，ＢＲまたはＤＬ，ＤＲのオーディオ信号は、４つのＤＡＣ９１７〜９２０に入力される。【００８２】  ＢＬ，ＢＲのオーディオ信号をスピーカ９３７，９３８から出力する場合は、出力切替部９０７は、第２の出力部９０５に対してＢＬ，ＢＲのオーディオ信号を選択するよう制御信号を出力し、ＤＡＣ９１９，９２０にてヘッドフォン出力をミュートする。【００８３】  これにより、パワーアンプ９２７，９２８にて増幅されたＢＬ，ＢＲのオーディオ信号がスピーカ９３７，９３８から再生され、ヘッドフォン９４１からは無音が出力される。【００８４】  ＤＬ，ＤＲのオーディオ信号をヘッドフォン９４１から出力する場合は、出力切替部９０７は第２の出力部９０５に対してＤＬ，ＤＲのオーディオ信号を選択するよう制御信号を出力し、ＤＡＣ９１７，９１８にてスピーカ出力をミュートする。【００８５】  これにより、パワーアンプ９２９，９３０にて増幅されたＤＬ，ＤＲのオーディオ信号がヘッドフォン９４１から再生され、スピーカ９３７，９３８からは無音が出力される。【００８６】  なお、この場合、ＤＡＣ９１１〜９１６あるいはパワーアンプ９２１〜９２６などでスピーカ出力をミュートすればよい。【００８７】  これにより、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用するができるため、オーディオ信号出力端子数を増加させることなく、サブウーハーを含めたチャンネル数が６を越えるオーディオ信号を同時に個別に出力可能な音響信号処理装置を提供することができる。【００８８】  （実施の形態８）
図１０は、本発明の実施の形態８に係る音響信号再生システムの全体構成を示す図である。なお、ここでは、Ｎ＝８の場合が図示されている。【００８９】  図１０に示されるように、音響信号再生システム１０００は、音響信号処理装置１００１と、ＤＡＣ１０１１〜１０１８と、パワーアンプ１０２１〜１０３０と、スピーカ１０３１〜１０３８と、ヘッドフォン１０４１とから構成される。なお、パワーアンプ１０２７〜１０３０により、出力切替部１００７が構成される。【００９０】  第１の出力部１００４から出力されたオーディオ信号（Ｌ，Ｒ，Ｃ，ＳＷ，ＳＬ，ＳＲ）は各チャンネル個別にＤＡＣ１０１１〜１０１６に接続され、アナログ信号に変換された後、パワーアンプ１０２１〜１０２６にて増幅されてスピーカ１０３１〜１０３６から再生される。【００９１】  一方、第２の出力部１００５から出力されたオーディオ信号（ＢＬ，ＢＲまたはＤＬ，ＤＲ）は、２つのＤＡＣ１０１７，１０１８に入力されてアナログ信号に変換された後、出力切替部１００７に入力される。【００９２】  ＢＬ，ＢＲのオーディオ信号をスピーカ１０３７，１０３８から出力する場合は、出力切替部１００７は第２の出力部１００５に対してＢＬ，ＢＲのオーディオ信号を選択するよう制御信号を出力し、パワーアンプ１０２９，１０３０にてヘッドフォン出力をミュートする。これにより、パワーアンプ１０２７，１０２８にて増幅されたＢＬ，ＢＲのオーディオ信号がスピーカ１０３７，１０３８から再生され、ヘッドフォン１０４１からは無音が出力される。【００９３】  ＤＬ，ＤＲのオーディオ信号をヘッドフォン１０４１から出力する場合は、出力切替部１００７は第２の出力部１００５に対してＤＬ，ＤＲのオーディオ信号を選択するよう制御信号を出力し、パワーアンプ１０２７，１０２８にてスピーカ出力をミュートする。これにより、パワーアンプ１０２９，１０３０にて増幅されたＤＬ，ＤＲのオーディオ信号がヘッドフォン１０４１から再生され、スピーカ１０３７，１０３８からは無音が出力される。なお、この場合、ＤＡＣ１０１１〜１０１６あるいはパワーアンプ１０２１〜１０２６などでスピーカ出力をミュートすればよい。【００９４】  これにより、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用するができるため、オーディオ信号出力端子数を増加させることなく、サブウーハーを含めたチャンネル数が６を越えるオーディオ信号を同時に個別に出力可能な音響信号処理装置を提供することができる。【００９５】  （実施の形態９）
図１１は、本発明の実施の形態９に係る音響信号再生システムの全体構成を示す図である。なお、ここでは、Ｎ＝８の場合が図示されている。【００９６】  図１１に示されるように、音響信号再生システム１１００は、音響信号処理装置１１０１と、ＤＡＣ１１１１〜１１１８と、パワーアンプ１１２１〜１１３０と、スピーカ１１３１〜１１３８と、ヘッドフォン１１４１との他、ヘッドフォン検出部１１０９と、出力切替部１１０７とをさらに備えて構成される。【００９７】  ヘッドフォン差込口にヘッドフォン検出部１１０９を設けておき、ヘッドフォン検出部１１０９においてヘッドフォンが検出されない場合は、出力切替部１１０７にスピーカから出力するよう設定する。このとき、出力切替部１１０７から第２の出力部１１０５に対してＢＬ，ＢＲのオーディオ信号を選択するよう制御信号を出力する。ヘッドフォン検出部１１０９においてヘッドフォンが検出された場合は、出力切替部１１０７にヘッドフォン出力するよう設定する。このとき、出力切替部１１０７から第２の出力部１１０５に対してＤＬ，ＤＲのオーディオ信号を選択するよう制御信号を出力する。【００９８】  これによっても、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用するができるため、オーディオ信号出力端子数を増加させることなく、サブウーハーを含めたチャンネル数が６を越えるオーディオ信号を同時に個別に出力可能な音響信号処理装置を提供することができる。
【産業上の利用可能性】
【００９９】  本発明は、マルチチャンネルオーディオ信号のデコードを行う音響信号処理装置あるいはこれを用いた音響信号再生システムとして有効であり、オーディオ専用のプレーヤや、オーディオに映像を加えたプレーヤ、あるいはＡＶアンプ等に適用するのに適している。
【図１】
2005120132.tif 000002
【図２】
2005120132.tif 000003
【図３】
2005120132.tif 000004
【図４】
2005120132.tif 000005
【図５】
2005120132.tif 000006
【図６】
2005120132.tif 000007
【図７】
2005120132.tif 000008
【図８】
2005120132.tif 000009
【図９】
2005120132.tif 000010
【図１０】
2005120132.tif 000011
【図１１】
2005120132.tif 000012
【手続補正書】
【提出日】平成18年4月3日(2006.4.3)
【手続補正１】
【補正対象書類名】明細書
【補正対象項目名】０００３
【補正方法】変更
【補正の内容】
【０００３】
［００１１］  本発明は係る事情に鑑みてなされたものであり、オーディオ信号出力端子数を増加させることなく、サブウーハーを含めたチャンネル数が６を越えるオーディオ信号を同時に個別に出力可能な音響信号処理装置及び音響信号再生システムを提供することを目的とする。
【課題を解決するための手段】
［００１２］  上記目的を達成するために、本発明に係る音響信号処理装置においては、Ｎ（Ｎ：Ｎ≧３の自然数）チャンネルのオーディオ信号を個別に出力する音響信号処理装置であって、所定のフォーマットのオーディオ入力信号をデコードし、前記Ｎチャンネルのオーディオ信号と、２チャンネルのダウンミックスオーディオ信号とを出力する信号処理手段と、前記信号処理手段から出力された前記Ｎチャンネルのオーディオ信号のうち、（Ｎ−２）チャンネルのオーディオ信号を個別に出力する第１の出力手段と、前記信号処理手段から出力された前記Ｎチャンネルのオーディオ信号のうち、前記第１の出力手段が出力する（Ｎ−２）チャンネルのオーディオ信号を除いた２チャンネルのオーディオ信号と、前記信号処理手段から出力された前記２チャンネルのダウンミックスオーディオ信号とのいずれか一方を、外部からの設定に基づいて排他的に選択して出力する第２の出力手段とを備えることを特徴とする。
［００１３］  これにより、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用することができるため、オーディオ信号出力端子数を増加させることなく、サブウーハーを含めたチャンネル数が６を越えるオーディオ信号を同時に個別に出力可能な音響信号処理装置を提供することができる。
［００１４］  また、本発明に係る音響信号処理装置においては、前記信号処理手段は、前記所定のフォーマットのオーディオ入力信号をデコードすることにより、前記Ｎチャンネルのオーディオ信号を出力する第１のデコード手段と、前記第１のデコード手段から出力された前記Ｎチャンネルのオーディオ信号に対してダウンミックス処理を行うことにより、前記２チャンネルのダウンミックスオーディオ信号を出力するダウンミックス手段とを備えることを特徴とすることができる。
【手続補正２】
【補正対象書類名】明細書
【補正対象項目名】０００５
【補正方法】変更
【補正の内容】
【０００５】
チャンネルのオーディオ信号を除いた２チャンネルのオーディオ信号と、前記信号処理手段から出力された前記２チャンネルのダウンミックスオーディオ信号とのいずれか一方を、外部からの設定に基づいて排他的に選択して出力する第２の出力手段とを備え、前記音響信号再生システムは、さらに前記第２の出力手段から出力されたオーディオ信号を、前記スピーカと前記ヘッドフォンのいずれか一方に対する出力として接続態様を切り替えることが可能な出力切替手段を備え、前記出力切替手段は、前記接続態様に応じたオーディオ信号を前記第２の出力手段から出力させるための制御信号を前記外部からの設定として前記第２の出力手段に対して出力することを特徴とする。
［００１９］  これにより、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用することができるため、オーディオ信号出力端子数を増加させることなく、サブウーハーを含めたチャンネル数が６を越えるオーディオ信号を同時に個別に出力可能な音響信号再生システムを提供することができる。
［００２０］  また、本発明に係る音響信号再生システムにおいては、前記出力切替手段は、ミュート機能を有するデジタルアナログ変換手段により構成されていることを特徴とすることができる。
［００２１］  また、本発明に係る音響信号再生システムにおいては、前記出力切替手段は、ミュート機能を有するパワーアンプにより構成されていることを特徴とすることもできる。
［００２２］  また、本発明に係る音響信号再生システムにおいては、前記音響信号再生システムは、さらに前記ヘッドフォンが接続されているか否かを検出するヘッドフォン検出手段を備え、前記出力切替手段は、前記ヘッドフォン検出手段が前記ヘッドフォンが接続されていることを検出している場合に、前記第２の出力手段が前記信号処理手段から出力された前記２チャンネルのダウンミックスオーディオ信号を出力し、かつ、前記ヘッドフォン検出手段が前記ヘッドフォンが接続されていないことを検出している場合に、前記第２の出力手段が前記信号処理手段から出力された前記Ｎチャンネルのオーディオ信号のうち、前記第１の出力手段が出力する（Ｎ−２）チャンネルのオー
【手続補正３】
【補正対象書類名】明細書
【補正対象項目名】０００８
【補正方法】変更
【補正の内容】
【０００８】
【発明を実施するための最良の形態】
［００２８］  以下、本発明の実施の形態について、図面を用いて詳細に説明する。
［００２９］  （実施の形態１）
図５は、本発明の実施の形態１に係る音響信号処理装置の構成を示す図である。なお、図５においては、Ｎ＝８の場合が示されている。
［００３０］  図５に示されるように、音響信号処理装置５０１は、デコード部５０２と、ダウンミックス部５０３と、第１の出力部５０４と、第２の出力部５０５とを備える。なお、デコード部５０２と、ダウンミックス部５０３とで、信号処理手段を構成する。
［００３１］  デコード部５０２は、オーディオ入力信号をデコード（例えばドルビープロロジックＩＩｘデコード）し、Ｌ，Ｒ，Ｃ，ＳＷ，ＳＬ，ＳＲ，ＢＬ，ＢＲの８チャンネルのオーディオ信号を出力する。
［００３２］  ダウンミックス部５０３は、デコード部５０２から出力されたＬ，Ｒ，Ｃ，ＳＷ，ＳＬ，ＳＲ，ＢＬ，ＢＲのオーディオ信号をダウンミックスして、ＤＬ，ＤＲの２チャンネルのオーディオ信号を出力する。
［００３３］  第１の出力部５０４は、６つの出力端子と、これらの出力端子に接続される６本の信号線とを有し、デコード部５０２から出力されたＬ，Ｒ，Ｃ，ＳＷ，ＳＬ，ＳＲ，ＢＬ，ＢＲのオーディオ信号のうち、ＢＬ，ＢＲを除くＬ，Ｒ，Ｃ，ＳＷ，ＳＬ，ＳＲのオーディオ信号を個別に出力する。
［００３４］  第２の出力部５０５は、２つの出力端子と、これらの出力端子に接続される２本の信号線と、２つのスイッチとを有し、デコード部５０２から出力されたＢＬ，ＢＲのオーディオ信号と、ダウンミックス部５０３から出力されたＤＬ，ＤＲのオーディオ信号が入力され、外部からの設定（指示）に基づいて、ＢＬ，ＢＲのオーディオ信号と、ＤＬ，ＤＲのオーディオ信号とのいずれか一方を選択して出力する。つまり、ＢＬ，ＢＲのオーディオ信号と、ＤＬ，ＤＲのオーディオ信号とを排他的に出力する。
［００３５］  このような構成により、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用することができるため、オーディオ信号出力端子数を増加させることなく、サブウーハーを含めた
【手続補正４】
【補正対象書類名】明細書
【補正対象項目名】００１０
【補正方法】変更
【補正の内容】
【００１０】
図６は、本発明の実施の形態３に係る音響信号処理装置の構成を示す図である。なお、図６においては、Ｎ＝７の場合が示されている。
［００４５］  図６に示されるように、音響信号処理装置６０１は、デコード部６０２と、ダウンミックス部６０３と、第１の出力部６０４と、第２の出力部６０５とを備える。なお、デコード部６０２と、ダウンミックス部６０３と、第１の出力部６０４と、第２の出力部６０５とは、処理するオーディオ信号のチャンネル数やそのオーディオ信号の種別が異なる点を除き、上述した音響信号処理装置５０１のデコード部５０２、ダウンミックス部５０３、第１の出力部５０４、第２の出力部５０５と同機能を有している。
［００４６］  つまり、デコード部６０２は、オーディオ入力信号をデコード（例えばドルビーデジタルＥＸデコード）し、Ｌ，Ｒ，Ｃ，ＳＷ，ＳＬ，ＳＲ，ＳＣの７チャンネルのオーディオ信号を出力する。
［００４７］  ダウンミックス部６０３は，デコード部６０２から出力されたＬ，Ｒ，Ｃ，ＳＷ，ＳＬ，ＳＲ，ＳＣのオーディオ信号をダウンミックスして、ＤＬ，ＤＲの２チャンネルのオーディオ信号を出力する。
［００４８］  第１の出力部６０４は、デコード部６０２から出力されたＬ，Ｒ，Ｃ，ＳＷ，ＳＬ，ＳＲ，ＳＣの７チャンネルのオーディオ信号のうち、ＳＬ，ＳＲを除くＬ，Ｒ，Ｃ，ＳＷ，ＳＣの５チャンネルのオーディオ信号を個別に出力する。
［００４９］  第２の出力部６０５は、デコード部６０２から出力されたＳＬ，ＳＲのオーディオ信号と、ダウンミックス部６０３から出力されたＤＬ，ＤＲのオーディオ信号が入力され、外部からの設定（指示）に基づいて、ＳＬ，ＳＲのオーディオ信号と、ＤＬ，ＤＲのオーディオ信号とのいずれか一方を選択して出力する。
［００５０］  これによっても、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用することができるため、オーディオ信号出力端子数を増加させることなく、サブウーハーを含めたチャンネル数が６を越えるオーディオ信号を同時に個別に出力可能な音響信号処理装置を提供することができる。
［００５１］  なお、本実施の形態３では、ＳＬ，ＳＲのオーディオ信号を第２の出力部６０５に入力
【手続補正５】
【補正対象書類名】明細書
【補正対象項目名】００１２
【補正方法】変更
【補正の内容】
【００１２】
の６チャンネルのオーディオ信号についてチャンネル拡張処理（例えばプロロジックＩＩｘデコード）を行い、このチャンネル拡張処理によりＬ，Ｒ，Ｃ，ＳＷ，ＳＬ，ＳＲ，ＢＬ，ＢＲの８チャンネルのオーディオ信号を出力する。
［００６０］  第１の出力部７０４は、チャンネル拡張部７０６から出力されたＬ，Ｒ，Ｃ，ＳＷ，ＳＬ，ＳＲ，ＢＬ，ＢＲのうち、ＢＬ，ＢＲを除くＬ，Ｒ，Ｃ，ＳＷ，ＳＬ，ＳＲのオーディオ信号を個別に出力する。
［００６１］  第２の出力部７０５は、チャンネル拡張部７０６から出力されたＢＬ，ＢＲのオーディオ信号と、ダウンミックス部７０３から出力されたＤＬ，ＤＲのオーディオ信号がそれぞれ入力され、外部からの設定（指示）に基づいて、ＢＬ，ＢＲのオーディオ信号と、ＤＬ，ＤＲのオーディオ信号とのいずれか一方を選択して出力する。
［００６２］  これによっても、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用することができるため、オーディオ信号出力端子数を増加させることなく、サブウーハーを含めたチャンネル数が６を越えるオーディオ信号を同時に個別に出力可能な音響信号処理装置を提供することができる。
［００６３］  そして、５．１チャンネルのソースが大半で、それを越える多チャンネルのソースが少ない現状の下においても、５．１チャンネルのソースからそれを越える多チャンネルのオーディオ信号を出力することができ、実用的価値を高めることができる。
［００６４］  なお、本実施の形態４では、チャンネル拡張部７０６においてＬ，Ｒ，Ｃ，ＳＷ，ＳＬ，ＳＲ，ＳＣの７チャンネルのオーディオ信号に拡張（例えばドルビーデジタルＥＸデコード）し、ＳＣをＢＬとＢＲに分割して出力してもよい。
［００６５］  また、本実施の形態４では、ＢＬ，ＢＲを第２の出力部に入力しているが、チャンネル拡張部７０６から出力された任意の２個のチャンネルのオーディオ信号を入力してもかまわない。
［００６６］  （実施の形態５）
なお、この音響信号処理装置７０１においても、チャンネル拡張部７０６を、オーディオ入力信号に含まれるチャンネル数、あるいは外部からの設定に基づき、Ｌ（Ｌ：Ｎ＞
【手続補正６】
【補正対象書類名】明細書
【補正対象項目名】００１４
【補正方法】変更
【補正の内容】
【００１４】
第２の出力部８０５に対してＢＬ，ＢＲのオーディオ信号を選択するよう制御信号を出力し、出力切替部８０７はパワーアンプ８２７，８２８に対してＢＬ，ＢＲのオーディオ信号を出力する。パワーアンプ８２７，８２８にてＢＬ，ＢＲのオーディオ信号が増幅され、スピーカ８３７，８３８から再生される。
［００７６］  出力切替部８０７にてヘッドフォン出力するよう設定された場合、出力切替部８０７から第２の出力部８０５に対してＤＬ，ＤＲのオーディオ信号を選択するよう制御信号を出力し、出力切替部８０７は、パワーアンプ８２９，８３０に対してＤＬ，ＤＲのオーディオ信号を出力する。パワーアンプ８２９，８３０にてＤＬ，ＤＲのオーディオ信号が増幅され、ヘッドフォン８４１から再生される。なお、この場合、ＤＡＣ８１１〜８１６あるいはパワーアンプ８２１〜８２６などでスピーカ出力をミュートすればよい。
［００７７］  これにより、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用することができるため、オーディオ信号出力端子数を増加させることなく、サブウーハーを含めたチャンネル数が６を越えるオーディオ信号を同時に個別に出力可能な音響信号処理装置を提供することができる。
［００７８］  （実施の形態７）
図９は、本発明の実施の形態７に係る音響信号再生システムの全体構成を示す図である。なお、ここでは、Ｎ＝８の場合が図示されている。
［００７９］  図９に示されるように、音響信号再生システム９００は、音響信号処理装置９０１と、ＤＡＣ９１１〜９２０と、パワーアンプ９２１〜９３０と、スピーカ９３１〜９３８と、ヘッドフォン９４１とから構成される。なお、ＤＡＣ９１７〜９２０により、出力切替部９０７が構成される。
［００８０］  音響信号処理装置９０１の第１の出力部９０４から出力されたＬ，Ｒ，Ｃ，ＳＷ，ＳＬ，ＳＲのオーディオ信号は各チャンネル個別にＤＡＣ９１１〜９１６に接続され、アナログ信号に変換された後、パワーアンプ９２１〜９２６にて増幅されてスピーカ９３１〜９３６から再生される。
［００８１］  一方、第２の出力部９０５から出力されたＢＬ，ＢＲまたはＤＬ，ＤＲのオーディオ信号は、４つのＤＡＣ９１７〜９２０に入力される。
【手続補正７】
【補正対象書類名】明細書
【補正対象項目名】００１５
【補正方法】変更
【補正の内容】
【００１５】
［００８２］  ＢＬ，ＢＲのオーディオ信号をスピーカ９３７，９３８から出力する場合は、出力切替部９０７は、第２の出力部９０５に対してＢＬ，ＢＲのオーディオ信号を選択するよう制御信号を出力し、ＤＡＣ９１９，９２０にてヘッドフォン出力をミュートする。
［００８３］  これにより、パワーアンプ９２７，９２８にて増幅されたＢＬ，ＢＲのオーディオ信号がスピーカ９３７，９３８から再生され、ヘッドフォン９４１からは無音が出力される。
［００８４］  ＤＬ，ＤＲのオーディオ信号をヘッドフォン９４１から出力する場合は、出力切替部９０７は第２の出力部９０５に対してＤＬ，ＤＲのオーディオ信号を選択するよう制御信号を出力し、ＤＡＣ９１７，９１８にてスピーカ出力をミュートする。
［００８５］  これにより、パワーアンプ９２９，９３０にて増幅されたＤＬ，ＤＲのオーディオ信号がヘッドフォン９４１から再生され、スピーカ９３７，９３８からは無音が出力される。
［００８６］  なお、この場合、ＤＡＣ９１１〜９１６あるいはパワーアンプ９２１〜９２６などでスピーカ出力をミュートすればよい。
［００８７］  これにより、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用することができるため、オーディオ信号出力端子数を増加させることなく、サブウーハーを含めたチャンネル数が６を越えるオーディオ信号を同時に個別に出力可能な音響信号処理装置を提供することができる。
［００８８］  （実施の形態８）
図１０は、本発明の実施の形態８に係る音響信号再生システムの全体構成を示す図である。なお、ここでは、Ｎ＝８の場合が図示されている。
［００８９］  図１０に示されるように、音響信号再生システム１０００は、音響信号処理装置１００１と、ＤＡＣ１０１１〜１０１８と、パワーアンプ１０２１〜１０３０と、スピーカ１０３１〜１０３８と、ヘッドフォン１０４１とから構成される。なお、パワーアンプ１０２７〜１０３０により、出力切替部１００７が構成される。
［００９０］  第１の出力部１００４から出力されたオーディオ信号（Ｌ，Ｒ，Ｃ，ＳＷ，ＳＬ，ＳＲ）は各チャンネル個別にＤＡＣ１０１１〜１０１６に接続され、アナログ信号に変換された後、パワーアンプ１０２１〜１０２６にて増幅されてスピーカ１０３１〜１０３６から再生される。
【手続補正８】
【補正対象書類名】明細書
【補正対象項目名】００１６
【補正方法】変更
【補正の内容】
【００１６】
［００９１］  一方、第２の出力部１００５から出力されたオーディオ信号（ＢＬ，ＢＲまたはＤＬ，ＤＲ）は、２つのＤＡＣ１０１７，１０１８に入力されてアナログ信号に変換された後、出力切替部１００７に入力される。
［００９２］  ＢＬ，ＢＲのオーディオ信号をスピーカ１０３７，１０３８から出力する場合は、出力切替部１００７は第２の出力部１００５に対してＢＬ，ＢＲのオーディオ信号を選択するよう制御信号を出力し、パワーアンプ１０２９，１０３０にてヘッドフォン出力をミュートする。これにより、パワーアンプ１０２７，１０２８にて増幅されたＢＬ，ＢＲのオーディオ信号がスピーカ１０３７，１０３８から再生され、ヘッドフォン１０４１からは無音が出力される。
［００９３］  ＤＬ，ＤＲのオーディオ信号をヘッドフォン１０４１から出力する場合は、出力切替部１００７は第２の出力部１００５に対してＤＬ，ＤＲのオーディオ信号を選択するよう制御信号を出力し、パワーアンプ１０２７，１０２８にてスピーカ出力をミュートする。これにより、パワーアンプ１０２９，１０３０にて増幅されたＤＬ，ＤＲのオーディオ信号がヘッドフォン１０４１から再生され、スピーカ１０３７，１０３８からは無音が出力される。なお、この場合、ＤＡＣ１０１１〜１０１６あるいはパワーアンプ１０２１〜１０２６などでスピーカ出力をミュートすればよい。
［００９４］  これにより、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用することができるため、オーディオ信号出力端子数を増加させることなく、サブウーハーを含めたチャンネル数が６を越えるオーディオ信号を同時に個別に出力可能な音響信号処理装置を提供することができる。
［００９５］  （実施の形態９）
図１１は、本発明の実施の形態９に係る音響信号再生システムの全体構成を示す図である。なお、ここでは、Ｎ＝８の場合が図示されている。
［００９６］  図１１に示されるように、音響信号再生システム１１００は、音響信号処理装置１１０１と、ＤＡＣ１１１１〜１１１８と、パワーアンプ１１２１〜１１３０と、スピーカ１１３１〜１１３８と、ヘッドフォン１１４１との他、ヘッドフォン検出部１１０９と、出力切替部１１０７とをさらに備えて構成される。
【手続補正９】
【補正対象書類名】明細書
【補正対象項目名】００１７
【補正方法】変更
【補正の内容】
【００１７】
［００９７］  ヘッドフォン差込口にヘッドフォン検出部１１０９を設けておき、ヘッドフォン検出部１１０９においてヘッドフォンが検出されない場合は、出力切替部１１０７にスピーカから出力するよう設定する。このとき、出力切替部１１０７から第２の出力部１１０５に対してＢＬ，ＢＲのオーディオ信号を選択するよう制御信号を出力する。ヘッドフォン検出部１１０９においてヘッドフォンが検出された場合は、出力切替部１１０７にヘッドフォン出力するよう設定する。このとき、出力切替部１１０７から第２の出力部１１０５に対してＤＬ，ＤＲのオーディオ信号を選択するよう制御信号を出力する。
［００９８］  これによっても、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用することができるため、オーディオ信号出力端子数を増加させることなく、サブウーハーを含めたチャンネル数が６を越えるオーディオ信号を同時に個別に出力可能な音響信号処理装置を提供することができる。
【産業上の利用可能性】
［００９９］  本発明は、マルチチャンネルオーディオ信号のデコードを行う音響信号処理装置あるいはこれを用いた音響信号再生システムとして有効であり、オーディオ専用のプレーヤや、オーディオに映像を加えたプレーヤ、あるいはＡＶアンプ等に適用するのに適している。
【手続補正書】
【提出日】平成18年4月3日(2006.4.3)
【手続補正１】
【補正対象書類名】明細書
【補正対象項目名】０００３
【補正方法】変更
【補正の内容】
【０００３】
［００１１］  本発明は係る事情に鑑みてなされたものであり、オーディオ信号出力端子数を増加させることなく、サブウーハーを含めたチャンネル数が６を越えるオーディオ信号を同時に個別に出力可能な音響信号処理装置及び音響信号再生システムを提供することを目的とする。
【課題を解決するための手段】
［００１２］  上記目的を達成するために、本発明に係る音響信号処理装置においては、Ｎ（Ｎ：Ｎ≧３の自然数）チャンネルのオーディオ信号を個別に出力する音響信号処理装置であって、所定のフォーマットのオーディオ入力信号をデコードし、前記Ｎチャンネルのオーディオ信号と、２チャンネルのダウンミックスオーディオ信号とを出力する信号処理手段と、前記信号処理手段から出力された前記Ｎチャンネルのオーディオ信号のうち、（Ｎ−２）チャンネルのオーディオ信号を個別に出力する第１の出力手段と、前記信号処理手段から出力された前記Ｎチャンネルのオーディオ信号のうち、前記第１の出力手段が出力する（Ｎ−２）チャンネルのオーディオ信号を除いた２チャンネルのオーディオ信号と、前記信号処理手段から出力された前記２チャンネルのダウンミックスオーディオ信号とのいずれか一方を、外部からの設定に基づいて排他的に選択して出力する第２の出力手段とを備えることを特徴とする。
［００１３］  これにより、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用することができるため、オーディオ信号出力端子数を増加させることなく、サブウーハーを含めたチャンネル数が６を越えるオーディオ信号を同時に個別に出力可能な音響信号処理装置を提供することができる。
［００１４］  また、本発明に係る音響信号処理装置においては、前記信号処理手段は、前記所定のフォーマットのオーディオ入力信号をデコードすることにより、前記Ｎチャンネルのオーディオ信号を出力する第１のデコード手段と、前記第１のデコード手段から出力された前記Ｎチャンネルのオーディオ信号に対してダウンミックス処理を行うことにより、前記２チャンネルのダウンミックスオーディオ信号を出力するダウンミックス手段とを備えることを特徴とすることができる。
【手続補正２】
【補正対象書類名】明細書
【補正対象項目名】０００５
【補正方法】変更
【補正の内容】
【０００５】
チャンネルのオーディオ信号を除いた２チャンネルのオーディオ信号と、前記信号処理手段から出力された前記２チャンネルのダウンミックスオーディオ信号とのいずれか一方を、外部からの設定に基づいて排他的に選択して出力する第２の出力手段とを備え、前記音響信号再生システムは、さらに前記第２の出力手段から出力されたオーディオ信号を、前記スピーカと前記ヘッドフォンのいずれか一方に対する出力として接続態様を切り替えることが可能な出力切替手段を備え、前記出力切替手段は、前記接続態様に応じたオーディオ信号を前記第２の出力手段から出力させるための制御信号を前記外部からの設定として前記第２の出力手段に対して出力することを特徴とする。
［００１９］  これにより、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用することができるため、オーディオ信号出力端子数を増加させることなく、サブウーハーを含めたチャンネル数が６を越えるオーディオ信号を同時に個別に出力可能な音響信号再生システムを提供することができる。
［００２０］  また、本発明に係る音響信号再生システムにおいては、前記出力切替手段は、ミュート機能を有するデジタルアナログ変換手段により構成されていることを特徴とすることができる。
［００２１］  また、本発明に係る音響信号再生システムにおいては、前記出力切替手段は、ミュート機能を有するパワーアンプにより構成されていることを特徴とすることもできる。
［００２２］  また、本発明に係る音響信号再生システムにおいては、前記音響信号再生システムは、さらに前記ヘッドフォンが接続されているか否かを検出するヘッドフォン検出手段を備え、前記出力切替手段は、前記ヘッドフォン検出手段が前記ヘッドフォンが接続されていることを検出している場合に、前記第２の出力手段が前記信号処理手段から出力された前記２チャンネルのダウンミックスオーディオ信号を出力し、かつ、前記ヘッドフォン検出手段が前記ヘッドフォンが接続されていないことを検出している場合に、前記第２の出力手段が前記信号処理手段から出力された前記Ｎチャンネルのオーディオ信号のうち、前記第１の出力手段が出力する（Ｎ−２）チャンネルのオー
【手続補正３】
【補正対象書類名】明細書
【補正対象項目名】０００８
【補正方法】変更
【補正の内容】
【０００８】
【発明を実施するための最良の形態】
［００２８］    以下、本発明の実施の形態について、図面を用いて詳細に説明する。
［００２９］    （実施の形態１）
図５は、本発明の実施の形態１に係る音響信号処理装置の構成を示す図である。なお、図５においては、Ｎ＝８の場合が示されている。
［００３０］  図５に示されるように、音響信号処理装置５０１は、デコード部５０２と、ダウンミックス部５０３と、第１の出力部５０４と、第２の出力部５０５とを備える。なお、デコード部５０２と、ダウンミックス部５０３とで、信号処理手段を構成する。
［００３１］  デコード部５０２は、オーディオ入力信号をデコード（例えばドルビープロロジックＩＩｘデコード）し、Ｌ，Ｒ，Ｃ，ＳＷ，ＳＬ，ＳＲ，ＢＬ，ＢＲの８チャンネルのオーディオ信号を出力する。
［００３２］    ダウンミックス部５０３は、デコード部５０２から出力されたＬ，Ｒ，Ｃ，ＳＷ，ＳＬ，ＳＲ，ＢＬ，ＢＲのオーディオ信号をダウンミックスして、ＤＬ，ＤＲの２チャンネルのオーディオ信号を出力する。
［００３３］  第１の出力部５０４は、６つの出力端子と、これらの出力端子に接続される６本の信号線とを有し、デコード部５０２から出力されたＬ，Ｒ，Ｃ，ＳＷ，ＳＬ，ＳＲ，ＢＬ，ＢＲのオーディオ信号のうち、ＢＬ，ＢＲを除くＬ，Ｒ，Ｃ，ＳＷ，ＳＬ，ＳＲのオーディオ信号を個別に出力する。
［００３４］  第２の出力部５０５は、２つの出力端子と、これらの出力端子に接続される２本の信号線と、２つのスイッチとを有し、デコード部５０２から出力されたＢＬ，ＢＲのオーディオ信号と、ダウンミックス部５０３から出力されたＤＬ，ＤＲのオーディオ信号が入力され、外部からの設定（指示）に基づいて、ＢＬ，ＢＲのオーディオ信号と、ＤＬ，ＤＲのオーディオ信号とのいずれか一方を選択して出力する。つまり、ＢＬ，ＢＲのオーディオ信号と、ＤＬ，ＤＲのオーディオ信号とを排他的に出力する。
［００３５］  このような構成により、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用することができるため、オーディオ信号出力端子数を増加させることなく、サブウーハーを含めた
【手続補正４】
【補正対象書類名】明細書
【補正対象項目名】００１０
【補正方法】変更
【補正の内容】
【００１０】
図６は、本発明の実施の形態３に係る音響信号処理装置の構成を示す図である。
なお、図６においては、Ｎ＝７の場合が示されている。
［００４５］  図６に示されるように、音響信号処理装置６０１は、デコード部６０２と、ダウンミックス部６０３と、第１の出力部６０４と、第２の出力部６０５とを備える。なお、デコード部６０２と、ダウンミックス部６０３と、第１の出力部６０４と、第２の出力部６０５とは、処理するオーディオ信号のチャンネル数やそのオーディオ信号の種別が異なる点を除き、上述した音響信号処理装置５０１のデコード部５０２、ダウンミックス部５０３、第１の出力部５０４、第２の出力部５０５と同機能を有している。
［００４６］  つまり、デコード部６０２は、オーディオ入力信号をデコード（例えばドルビーデジタルＥＸデコード）し、Ｌ，Ｒ，Ｃ，ＳＷ，ＳＬ，ＳＲ，ＳＣの７チャンネルのオーディオ信号を出力する。
［００４７］  ダウンミックス部６０３は，デコード部６０２から出力されたＬ，Ｒ，Ｃ，ＳＷ，ＳＬ，ＳＲ，ＳＣのオーディオ信号をダウンミックスして、ＤＬ，ＤＲの２チャンネルのオーディオ信号を出力する。
［００４８］  第１の出力部６０４は、デコード部６０２から出力されたＬ，Ｒ，Ｃ，ＳＷ，ＳＬ，ＳＲ，ＳＣの７チャンネルのオーディオ信号のうち、ＳＬ，ＳＲを除くＬ，Ｒ，Ｃ，ＳＷ，ＳＣの５チャンネルのオーディオ信号を個別に出力する。
［００４９］  第２の出力部６０５は、デコード部６０２から出力されたＳＬ，ＳＲのオーディオ信号と、ダウンミックス部６０３から出力されたＤＬ，ＤＲのオーディオ信号が入力され、外部からの設定（指示）に基づいて、ＳＬ，ＳＲのオーディオ信号と、ＤＬ，ＤＲのオーディオ信号とのいずれか一方を選択して出力する。
［００５０］  これによっても、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用することができるため、オーディオ信号出力端子数を増加させることなく、サブウーハーを含めたチャンネル数が６を越えるオーディオ信号を同時に個別に出力可能な音響信号処理装置を提供することができる。
［００５１］  なお、本実施の形態３では、ＳＬ，ＳＲのオーディオ信号を第２の出力部６０５に入力
【手続補正５】
【補正対象書類名】明細書
【補正対象項目名】００１２
【補正方法】変更
【補正の内容】
【００１２】
の６チャンネルのオーディオ信号についてチャンネル拡張処理（例えばプロロジックＩＩｘデコード）を行い、このチャンネル拡張処理によりＬ，Ｒ，Ｃ，ＳＷ，ＳＬ，ＳＲ，ＢＬ，ＢＲの８チャンネルのオーディオ信号を出力する。
［００６０］  第１の出力部７０４は、チャンネル拡張部７０６から出力されたＬ，Ｒ，Ｃ，ＳＷ，ＳＬ，ＳＲ，ＢＬ，ＢＲのうち、ＢＬ，ＢＲを除くＬ，Ｒ，Ｃ，ＳＷ，ＳＬ，ＳＲのオーディオ信号を個別に出力する。
［００６１］  第２の出力部７０５は、チャンネル拡張部７０６から出力されたＢＬ，ＢＲのオーディオ信号と、ダウンミックス部７０３から出力されたＤＬ，ＤＲのオーディオ信号がそれぞれ入力され、外部からの設定（指示）に基づいて、ＢＬ，ＢＲのオーディオ信号と、ＤＬ，ＤＲのオーディオ信号とのいずれか一方を選択して出力する。
［００６２］  これによっても、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用することができるため、オーディオ信号出力端子数を増加させることなく、サブウーハーを含めたチャンネル数が６を越えるオーディオ信号を同時に個別に出力可能な音響信号処理装置を提供することができる。
［００６３］  そして、５．１チャンネルのソースが大半で、それを越える多チャンネルのソースが少ない現状の下においても、５．１チャンネルのソースからそれを越える多チャンネルのオーディオ信号を出力することができ、実用的価値を高めることができる。
［００６４］  なお、本実施の形態４では、チャンネル拡張部７０６においてＬ，Ｒ，Ｃ，ＳＷ，ＳＬ，ＳＲ，ＳＣの７チャンネルのオーディオ信号に拡張（例えばドルビーデジタルＥＸデコード）し、ＳＣをＢＬとＢＲに分割して出力してもよい。
［００６５］  また、本実施の形態４では、ＢＬ，ＢＲを第２の出力部に入力しているが、チャンネル拡張部７０６から出力された任意の２個のチャンネルのオーディオ信号を入力してもかまわない。
［００６６］  （実施の形態５）
なお、この音響信号処理装置７０１においても、チャンネル拡張部７０６を、オーディオ入力信号に含まれるチャンネル数、あるいは外部からの設定に基づき、Ｌ（Ｌ：Ｎ＞
【手続補正６】
【補正対象書類名】明細書
【補正対象項目名】００１４
【補正方法】変更
【補正の内容】
【００１４】
第２の出力部８０５に対してＢＬ，ＢＲのオーディオ信号を選択するよう制御信号を出力し、出力切替部８０７はパワーアンプ８２７，８２８に対してＢＬ，ＢＲのオーディオ信号を出力する。パワーアンプ８２７，８２８にてＢＬ、ＢＲのオーディオ信号が増幅され、スピーカ８３７，８３８から再生される。
［００７６］  出力切替部８０７にてヘッドフォン出力するよう設定された場合、出力切替部８０７から第２の出力部８０５に対してＤＬ，ＤＲのオーディオ信号を選択するよう制御信号を出力し、出力切替部８０７は、パワーアンプ８２９，８３０に対してＤＬ，ＤＲのオーディオ信号を出力する。パワーアンプ８２９，８３０にてＤＬ，ＤＲのオーディオ信号が増幅され、ヘッドフォン８４１から再生される。なお、この場合、ＤＡＣ８１１〜８１６あるいはパワーアンプ８２１〜８２６などでスピーカ出力をミュートすればよい。
［００７７］  これにより、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用することができるため、オーディオ信号出力端子数を増加させることなく、サブウーハーを含めたチャンネル数が６を越えるオーディオ信号を同時に個別に出力可能な音響信号処理装置を提供することができる。
［００７８］  （実施の形態７）
図９は、本発明の実施の形態７に係る音響信号再生システムの全体構成を示す図である。なお、ここでは、Ｎ＝８の場合が図示されている。
［００７９］  図９に示されるように、音響信号再生システム９００は、音響信号処理装置９０１と、ＤＡＣ９１１〜９２０と、パワーアンプ９２１〜９３０と、スピーカ９３１〜９３８と、ヘッドフォン９４１とから構成される。なお、ＤＡＣ９１７〜９２０により、出力切替部９０７が構成される。
［００８０］  音響信号処理装置９０１の第１の出力部９０４から出力されたＬ，Ｒ，Ｃ，ＳＷ，ＳＬ，ＳＲのオーディオ信号は各チャンネル個別にＤＡＣ９１１〜９１６に接続され、アナログ信号に変換された後、パワーアンプ９２１〜９２６にて増幅されてスピーカ９３１〜９３６から再生される。
［００８１］  一方、第２の出力部９０５から出力されたＢＬ，ＢＲまたはＤＬ，ＤＲのオーディオ信号は、４つのＤＡＣ９１７〜９２０に入力される。
【手続補正７】
【補正対象書類名】明細書
【補正対象項目名】００１５
【補正方法】変更
【補正の内容】
【００１５】
［００８２］  ＢＬ，ＢＲのオーディオ信号をスピーカ９３７，９３８から出力する場合は、出力切替部９０７は、第２の出力部９０５に対してＢＬ，ＢＲのオーディオ信号を選択するよう制御信号を出力し、ＤＡＣ９１９，９２０にてヘッドフォン出力をミュートする。
［００８３］  これにより、パワーアンプ９２７，９２８にて増幅されたＢＬ，ＢＲのオーディオ信号がスピーカ９３７，９３８から再生され、ヘッドフォン９４１からは無音が出力される。
［００８４］  ＤＬ，ＤＲのオーディオ信号をヘッドフォン９４１から出力する場合は、出力切替部９０７は第２の出力部９０５に対してＤＬ，ＤＲのオーディオ信号を選択するよう制御信号を出力し、ＤＡＣ９１７，９１８にてスピーカ出力をミュートする。
［００８５］  これにより、パワーアンプ９２９，９３０にて増幅されたＤＬ，ＤＲのオーディオ信号がヘッドフォン９４１から再生され、スピーカ９３７，９３８からは無音が出力される。
［００８６］  なお、この場合、ＤＡＣ９１１〜９１６あるいはパワーアンプ９２１〜９２６などでスピーカ出力をミュートすればよい。
［００８７］  これにより、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用することができるため、オーディオ信号出力端子数を増加させることなく、サブウーハーを含めたチャンネル数が６を越えるオーディオ信号を同時に個別に出力可能な音響信号処理装置を提供することができる。
［００８８］  （実施の形態８）
図１０は、本発明の実施の形態８に係る音響信号再生システムの全体構成を示す図である。なお、ここでは、Ｎ＝８の場合が図示されている。
［００８９］  図１０に示されるように、音響信号再生システム１０００は、音響信号処理装置１００１と、ＤＡＣ１０１１〜１０１８と、パワーアンプ１０２１〜１０３０と、スピーカ１０３１〜１０３８と、ヘッドフォン１０４１とから構成される。なお、パワーアンプ１０２７〜１０３０により、出力切替部１００７が構成される。
［００９０］  第１の出力部１００４から出力されたオーディオ信号（Ｌ，Ｒ，Ｃ，ＳＷ，ＳＬ，ＳＲ）は各チャンネル個別にＤＡＣ１０１１〜１０１６に接続され、アナログ信号に変換された後、パワーアンプ１０２１〜１０２６にて増幅されてスピーカ１０３１〜１０３６から再生される。
【手続補正８】
【補正対象書類名】明細書
【補正対象項目名】００１６
【補正方法】変更
【補正の内容】
【００１６】
［００９１］  一方、第２の出力部１００５から出力されたオーディオ信号（ＢＬ，ＢＲまたはＤＬ，ＤＲ）は、２つのＤＡＣ１０１７，１０１８に入力されてアナログ信号に変換された後、出力切替部１００７に入力される。
［００９２］  ＢＬ，ＢＲのオーディオ信号をスピーカ１０３７，１０３８から出力する場合は、出力切替部１００７は第２の出力部１００５に対してＢＬ，ＢＲのオーディオ信号を選択するよう制御信号を出力し、パワーアンプ１０２９，１０３０にてヘッドフォン出力をミュートする。これにより、パワーアンプ１０２７，１０２８にて増幅されたＢＬ，ＢＲのオーディオ信号がスピーカ１０３７，１０３８から再生され、ヘッドフォン１０４１からは無音が出力される。
［００９３］  ＤＬ，ＤＲのオーディオ信号をヘッドフォン１０４１から出力する場合は、出力切替部１００７は第２の出力部１００５に対してＤＬ，ＤＲのオーディオ信号を選択するよう制御信号を出力し、パワーアンプ１０２７，１０２８にてスピーカ出力をミュートする。これにより、パワーアンプ１０２９，１０３０にて増幅されたＤＬ，ＤＲのオーディオ信号がヘッドフォン１０４１から再生され、スピーカ１０３７，１０３８からは無音が出力される。なお、この場合、ＤＡＣ１０１１〜１０１６あるいはパワーアンプ１０２１〜１０２６などでスピーカ出力をミュートすればよい。
［００９４］  これにより、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用することができるため、オーディオ信号出力端子数を増加させることなく、サブウーハーを含めたチャンネル数が６を越えるオーディオ信号を同時に個別に出力可能な音響信号処理装置を提供することができる。
［００９５］  （実施の形態９）
図１１は、本発明の実施の形態９に係る音響信号再生システムの全体構成を示す図である。なお、ここでは、Ｎ＝８の場合が図示されている。
［００９６］  図１１に示されるように、音響信号再生システム１１００は、音響信号処理装置１１０１と、ＤＡＣ１１１１〜１１１８と、パワーアンプ１１２１〜１１３０と、スピーカ１１３１〜１１３８と、ヘッドフォン１１４１との他、ヘッドフォン検出部１１０９と、出力切替部１１０７とをさらに備えて構成される。
【手続補正９】
【補正対象書類名】明細書
【補正対象項目名】００１７
【補正方法】変更
【補正の内容】
【００１７】
［００９７］  ヘッドフォン差込口にヘッドフォン検出部１１０９を設けておき、ヘッドフォン検出部１１０９においてヘッドフォンが検出されない場合は、出力切替部１１０７にスピーカから出力するよう設定する。このとき、出力切替部１１０７から第２の出力部１１０５に対してＢＬ，ＢＲのオーディオ信号を選択するよう制御信号を出力する。ヘッドフォン検出部１１０９においてヘッドフォンが検出された場合は、出力切替部１１０７にヘッドフォン出力するよう設定する。このとき、出力切替部１１０７から第２の出力部１１０５に対してＤＬ，ＤＲのオーディオ信号を選択するよう制御信号を出力する。
［００９８］  これによっても、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用することができるため、オーディオ信号出力端子数を増加させることなく、サブウーハーを含めたチャンネル数が６を越えるオーディオ信号を同時に個別に出力可能な音響信号処理装置を提供することができる。
【産業上の利用可能性】
［００９９］  本発明は、マルチチャンネルオーディオ信号のデコードを行う音響信号処理装置あるいはこれを用いた音響信号再生システムとして有効であり、オーディオ専用のプレーヤや、オーディオに映像を加えたプレーヤ、あるいはＡＶアンプ等に適用するのに適している。
【手続補正書】
【提出日】平成18年9月12日(2006.9.12)
【手続補正１】
【補正対象書類名】特許請求の範囲
【補正対象項目名】全文
【補正方法】変更
【補正の内容】
【特許請求の範囲】
【請求項１】
Ｎ（Ｎ：Ｎ≧３の自然数）チャンネルのオーディオ信号を個別に出力する音響信号処理装置であって、
所定のフォーマットのオーディオ入力信号をデコードし、前記Ｎチャンネルのオーディオ信号と、２チャンネルのダウンミックスオーディオ信号とを出力する信号処理手段と、
前記信号処理手段から出力された前記Ｎチャンネルのオーディオ信号のうち、（Ｎ−２）チャンネルのオーディオ信号を個別に出力する第１の出力手段と、
前記信号処理手段から出力された前記Ｎチャンネルのオーディオ信号のうち、前記第１の出力手段が出力する（Ｎ−２）チャンネルのオーディオ信号を除いた２チャンネルのオーディオ信号と、前記信号処理手段から出力された前記２チャンネルのダウンミックスオーディオ信号とのいずれか一方を、外部からの設定に基づいて排他的に選択して出力する第２の出力手段と
を備えることを特徴とする音響信号処理装置。
【請求項２】
前記信号処理手段は、
前記所定のフォーマットのオーディオ入力信号をデコードすることにより、前記Ｎチャンネルのオーディオ信号を出力する第１のデコード手段と、
前記第１のデコード手段から出力された前記Ｎチャンネルのオーディオ信号に対してダウンミックス処理を行うことにより、前記２チャンネルのダウンミックスオーディオ信号を出力するダウンミックス手段と
を備えることを特徴とする請求項１記載の音響信号処理装置。
【請求項３】
前記第１のデコード手段は、前記所定のフォーマットのオーディオ入力信号に含まれるチャンネル数、あるいは外部からの設定に基づき、Ｋ（Ｋ：Ｋ＜Ｎの自然数）チャンネルのオーディオ信号にデコードする場合に、（Ｎ−Ｋ）チャンネルの無音信号を出力する
ことを特徴とする請求項２記載の音響信号処理装置。
【請求項４】
前記信号処理手段は、
前記所定のフォーマットのオーディオ入力信号をデコードすることにより、Ｍ（Ｍ：Ｎ＞Ｍ≧２の自然数）チャンネルのオーディオ信号を出力する第２のデコード手段と、
前記第２のデコード手段から出力された前記Ｍチャンネルのオーディオ信号に対してダウンミックス処理を行うことにより、前記２チャンネルのダウンミックスオーディオ信号を出力する第２のダウンミックス手段と、
前記第２のデコード手段から出力された前記Ｍチャンネルのオーディオ信号に対してチャンネル拡張処理を施すことにより前記Ｎチャンネルのオーディオ信号を生成し、出力するチャンネル拡張手段と
を備えることを特徴とする請求項１記載の音響信号処理装置。
【請求項５】
前記チャンネル拡張手段は、前記所定のフォーマットのオーディオ入力信号に含まれるチャンネル数、あるいは外部からの設定に基づき、Ｌ（Ｌ：Ｎ＞Ｌ≧Ｍの自然数）チャンネルのオーディオ信号にチャンネル拡張する場合に、（Ｎ−Ｌ）チャンネルの無音信号を出力する
ことを特徴とする請求項４記載の音響信号処理装置。
【請求項６】
Ｎ（Ｎ：Ｎ≧３の自然数）チャンネルのオーディオ信号を個別に出力する音響信号処理装置に用いられる音響信号処理方法であって、
所定のフォーマットのオーディオ入力信号をデコードし、前記Ｎチャンネルのオーディオ信号と、２チャンネルのダウンミックスオーディオ信号とを出力する信号処理ステップと、
前記信号処理ステップにより出力された前記Ｎチャンネルのオーディオ信号のうち、（Ｎ−２）チャンネルのオーディオ信号を個別に出力する第１の出力ステップと、
前記信号処理ステップにより出力された前記Ｎチャンネルのオーディオ信号のうち、前記第１の出力ステップで出力する（Ｎ−２）チャンネルのオーディオ信号を除いた２チャンネルのオーディオ信号と、前記信号処理ステップにより出力された前記２チャンネルのダウンミックスオーディオ信号とのいずれか一方を、外部からの設定に基づいて排他的に選択して出力する第２の出力ステップと
を含むことを特徴とする音響信号処理方法。
【請求項７】
Ｎ（Ｎ：Ｎ≧３の自然数）チャンネルのオーディオ信号を出力する音響信号処理装置として機能する集積回路であって、
所定のフォーマットのオーディオ入力信号をデコードし、前記Ｎチャンネルのオーディオ信号と、２チャンネルのダウンミックスオーディオ信号とを出力する信号処理手段と、
前記信号処理手段から出力された前記Ｎチャンネルのオーディオ信号のうち、（Ｎ−２）チャンネルのオーディオ信号を個別に出力する第１の出力手段と、
前記信号処理手段から出力された前記Ｎチャンネルのオーディオ信号のうち、前記第１の出力手段が出力する（Ｎ−２）チャンネルのオーディオ信号を除いた２チャンネルのオーディオ信号と、前記信号処理手段から出力された前記２チャンネルのダウンミックスオーディオ信号とのいずれか一方を、外部からの設定に基づいて排他的に選択して出力する第２の出力手段と
を一体的に備えることを特徴とする集積回路。
【請求項８】
信号処理装置を用いて、Ｎ（Ｎ：Ｋ≧３の自然数）チャンネルのオーディオ信号をスピーカから再生すると共に、ダウンミックスしたオーディオ信号をヘッドフォンで再生する音響信号再生システムであって、
前記信号処理装置は、
所定のフォーマットのオーディオ入力信号をデコードし、前記Ｎチャンネルのオーディオ信号と、２チャンネルのダウンミックスオーディオ信号とを出力する信号処理手段と、
前記信号処理手段から出力された前記Ｎチャンネルのオーディオ信号のうち、（Ｎ−２）チャンネルのオーディオ信号を個別に出力する第１の出力手段と、
前記信号処理手段から出力された前記Ｎチャンネルのオーディオ信号のうち、前記第１の出力手段が出力する（Ｎ−２）チャンネルのオーディオ信号を除いた２チャンネルのオーディオ信号と、前記信号処理手段から出力された前記２チャンネルのダウンミックスオーディオ信号とのいずれか一方を、外部からの設定に基づいて排他的に選択して出力する第２の出力手段とを備え、
前記音響信号再生システムは、さらに前記第２の出力手段から出力されたオーディオ信号を、前記スピーカと前記ヘッドフォンのいずれか一方に対する出力として接続態様を切り替えることが可能な出力切替手段を備え、
前記出力切替手段は、前記接続態様に応じたオーディオ信号を前記第２の出力手段から出力させるための制御信号を前記外部からの設定として前記第２の出力手段に対して出力する
ことを特徴とする音響信号再生システム。
【請求項９】
前記出力切替手段は、ミュート機能を有するデジタルアナログ変換手段により構成されている
ことを特徴とする請求項８記載の音響信号再生システム。
【請求項１０】
前記出力切替手段は、ミュート機能を有するパワーアンプにより構成されている
ことを特徴とする請求項８記載の音響信号再生システム。
【請求項１１】
前記音響信号再生システムは、さらに前記ヘッドフォンが接続されているか否かを検出するヘッドフォン検出手段を備え、
前記出力切替手段は、前記ヘッドフォン検出手段が前記ヘッドフォンが接続されていることを検出している場合に、前記第２の出力手段が前記信号処理手段から出力された前記２チャンネルのダウンミックスオーディオ信号を出力し、かつ、前記ヘッドフォン検出手段が前記ヘッドフォンが接続されていないことを検出している場合に、前記第２の出力手段が前記信号処理手段から出力された前記Ｎチャンネルのオーディオ信号のうち、前記第１の出力手段が出力する（Ｎ−２）チャンネルのオーディオ信号を除いた２チャンネルのオーディオ信号を出力するようにさせるための制御信号を、前記外部からの設定として前記第２の出力手段に対して出力する
ことを特徴とする請求項８記載の音響信号再生システム。
【手続補正２】
【補正対象書類名】明細書
【補正対象項目名】全文
【補正方法】変更
【補正の内容】
【発明の詳細な説明】
【技術分野】
【０００１】
本発明は、マルチチャンネルオーディオ信号のデコード処理を行う音響信号処理装置及び音響信号再生システムに関するものである。
【背景技術】
【０００２】
マルチチャンネルオーディオフォーマットとしては、ＤＶＤ（Ｄｉｇｉｔａｌ  Ｖｅｒｓａｔｉｌｅ  Ｄｉｓｃ）などで用いられるドルビーデジタル（「ドルビー」はドルビーラボラトリーズの商標である）、ＤＴＳ（「ＤＴＳ」はデジタルシアターシステムズ社の登録商標である）やデジタルテレビ放送などで用いられるＭＰＥＧ−ＡＡＣ（Ｍｏｖｉｎｇ  Ｐｉｃｔｕｒｅ  Ｅｘｐｅｒｔｓ  Ｇｒｏｕｐ−Ａｄｖｅｎｃｅｄ  Ａｕｄｉｏ  Ｃｏｄｅｃ）などの５．１チャンネルサラウンドが一般的になっている。この５．１チャンネルサラウンドシステムは、図１に示されるように、フロント左右（Ｌ，Ｒ）の２チャンネル、フロントセンター（Ｃ）の１チャンネル、サラウンド左右（ＳＬ，ＳＲ）の２チャンネルの合計５チャンネルと、サブウーハー（ＳＷ）とが、スピーカ配置として規定されている。
【０００３】
ところが近年、ドルビーデジタルＥＸ（６．１チャンネルサラウンド）や、ＤＴＳ−ＥＳ（６．１チャンネルサラウンド、「ＤＴＳ−ＥＳ」はデジタルシアターシステムズ社の登録商標である）、ドルビープロロジックＩＩｘ（７．１チャンネルサラウンド）といった、サブウーハーを含めたチャンネル数が６を越えるオーディオフォーマットや、チャンネル拡張処理が規格化されている。６．１チャンネルサラウンドシステムは、図２に示されるように、５．１チャンネルサラウンドシステムのスピーカ配置に加えて、サラウンドセンター（ＳＣ）の１チャンネルを加えたものである。７．１チャンネルサラウンドシステムは、図３に示されるように、５．１チャンネルサラウンドシステムのスピーカ配置に加えて、バックサラウンド左右（ＢＬ、ＢＲ）の２チャンネルを加えたものである。
【０００４】
このようなチャンネル数が６を越えるマルチャンネルオーディオ信号に対応したマルチチャンネルオーディオ信号処理装置をＬＳＩとして実現する場合、オーディオ信号のチャンネル数の増加に対応するためには、一般に出力端子数を増やす必要がある。
【０００５】
しかしながら、出力端子数を増やすことは、ＬＳＩのサイズを増大させることになり、ひいてはＬＳＩのコスト上昇につながる。
【０００６】
そこで、出力端子数を増加させずにサブウーハーを含めたチャンネル数が６を越えるオーディオフォーマットに対応するものとして、特許文献１に記載されたマルチチャンネルオーディオ信号処理装置がある。
【０００７】
このマルチチャンネルオーディオ信号処理装置においては、６を越えるチャンネル数のオーディオ信号をデコードしたのち、これをダウンミックスすることで６以下のチャンネル数のオーディオ信号を出力する。したがって、出力端子数を増やすことなくサブウーハーを含めたチャンネル数が６を越えるオーディオフォーマットに対応することができる。
【０００８】
一方で、図４に示されるように、５．１チャンネルサラウンドのオーディオ信号処理装置４０１においては、オーディオ入力信号を６チャンネルのオーディオ信号にデコードする５．１チャンネルデコード部４０２や、デコードされた６チャンネルのオーディオ信号を個別に出力するためのオーディオ信号出力端子４０４の他に、ヘッドフォン出力用に６チャンネルのオーディオ信号をＤＬ，ＤＲのオーディオ信号にダウンミックスするダウンミックス部４０３、ダウンミックスされたＤＬ，ＤＲのオーディオ信号を出力するダウンミックスオーディオ信号出力端子４０５を備えるものがある。
【特許文献１】特開２００１−３５２５９９号公報
【発明の開示】
【発明が解決しようとする課題】
【０００９】
しかしながら、図４に記載のオーディオ信号処理装置においては、一般にヘッドフォンとスピーカの両方から同時に再生することはないので、スピーカ出力時にはダウンミックス端子が有効に利用されていないという問題がある。
【００１０】
また、特許文献１に記載のマルチチャンネルオーディオ信号処理装置においては、その出力のチャンネル数を８から７や、６に減らし、スピ−カから再生するようにしているので、６を越えるチャンネル数のオーディオ信号を同時に出力することができず、６．１チャンネルサラウンドや７．１チャンネルサラウンドのもつ本来の臨場感は失われてしまうという問題がある。
【００１１】
本発明は係る事情に鑑みてなされたものであり、オーディオ信号出力端子数を増加させることなく、サブウーハーを含めたチャンネル数が６を越えるオーディオ信号を同時に個別に出力可能な音響信号処理装置及び音響信号再生システムを提供することを目的とする。
【課題を解決するための手段】
【００１２】
上記目的を達成するために、本発明に係る音響信号処理装置においては、Ｎ（Ｎ：Ｎ≧３の自然数）チャンネルのオーディオ信号を個別に出力する音響信号処理装置であって、所定のフォーマットのオーディオ入力信号をデコードし、前記Ｎチャンネルのオーディオ信号と、２チャンネルのダウンミックスオーディオ信号とを出力する信号処理手段と、前記信号処理手段から出力された前記Ｎチャンネルのオーディオ信号のうち、（Ｎ−２）チャンネルのオーディオ信号を個別に出力する第１の出力手段と、前記信号処理手段から出力された前記Ｎチャンネルのオーディオ信号のうち、前記第１の出力手段が出力する（Ｎ−２）チャンネルのオーディオ信号を除いた２チャンネルのオーディオ信号と、前記信号処理手段から出力された前記２チャンネルのダウンミックスオーディオ信号とのいずれか一方を、外部からの設定に基づいて排他的に選択して出力する第２の出力手段とを備えることを特徴とする。
【００１３】
これにより、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用することができるため、オーディオ信号出力端子数を増加させることなく、サブウーハーを含めたチャンネル数が６を越えるオーディオ信号を同時に個別に出力可能な音響信号処理装置を提供することができる。
【００１４】
また、本発明に係る音響信号処理装置においては、前記信号処理手段は、前記所定のフォーマットのオーディオ入力信号をデコードすることにより、前記Ｎチャンネルのオーディオ信号を出力する第１のデコード手段と、前記第１のデコード手段から出力された前記Ｎチャンネルのオーディオ信号に対してダウンミックス処理を行うことにより、前記２チャンネルのダウンミックスオーディオ信号を出力するダウンミックス手段とを備えることを特徴とすることができる。
【００１５】
また、本発明に係る音響信号処理装置においては、前記第１のデコード手段は、前記所定のフォーマットのオーディオ入力信号に含まれるチャンネル数、あるいは外部からの設定に基づき、Ｋ（Ｋ：Ｋ＜Ｎの自然数）チャンネルのオーディオ信号にデコードする場合に、（Ｎ−Ｋ）チャンネルの無音信号を出力することを特徴とすることもできる。
【００１６】
また、本発明に係る音響信号処理装置においては、前記信号処理手段は、前記所定のフォーマットのオーディオ入力信号をデコードすることにより、Ｍ（Ｍ：Ｎ＞Ｍ≧２の自然数）チャンネルのオーディオ信号を出力する第２のデコード手段と、前記第２のデコード手段から出力された前記Ｍチャンネルのオーディオ信号に対してダウンミックス処理を行うことにより、前記２チャンネルのダウンミックスオーディオ信号を出力する第２のダウンミックス手段と、前記第２のデコード手段から出力された前記Ｍチャンネルのオーディオ信号に対してチャンネル拡張処理を施すことにより前記Ｎチャンネルのオーディオ信号を生成し、出力するチャンネル拡張手段とを備えることを特徴とすることができる。
【００１７】
また、本発明に係る音響信号処理装置においては、前記チャンネル拡張手段は、前記所定のフォーマットのオーディオ入力信号に含まれるチャンネル数、あるいは外部からの設定に基づき、Ｌ（Ｌ：Ｎ＞Ｌ≧Ｍの自然数）チャンネルのオーディオ信号にチャンネル拡張する場合に、（Ｎ−Ｌ）チャンネルの無音信号を出力することを特徴とすることもできる。
【００１８】
また、上記目的を達成するために、本発明に係る音響信号再生システムにおいては、信号処理装置を用いて、Ｎ（Ｎ：Ｋ≧３の自然数）チャンネルのオーディオ信号をスピーカから再生すると共に、ダウンミックスしたオーディオ信号をヘッドフォンで再生する音響信号再生システムであって、前記信号処理装置は、所定のフォーマットのオーディオ入力信号をデコードし、前記Ｎチャンネルのオーディオ信号と、２チャンネルのダウンミックスオーディオ信号とを出力する信号処理手段と、前記信号処理手段から出力された前記Ｎチャンネルのオーディオ信号のうち、（Ｎ−２）チャンネルのオーディオ信号を個別に出力する第１の出力手段と、前記信号処理手段から出力された前記Ｎチャンネルのオーディオ信号のうち、前記第１の出力手段が出力する（Ｎ−２）チャンネルのオーディオ信号を除いた２チャンネルのオーディオ信号と、前記信号処理手段から出力された前記２チャンネルのダウンミックスオーディオ信号とのいずれか一方を、外部からの設定に基づいて排他的に選択して出力する第２の出力手段とを備え、前記音響信号再生システムは、さらに前記第２の出力手段から出力されたオーディオ信号を、前記スピーカと前記ヘッドフォンのいずれか一方に対する出力として接続態様を切り替えることが可能な出力切替手段を備え、前記出力切替手段は、前記接続態様に応じたオーディオ信号を前記第２の出力手段から出力させるための制御信号を前記外部からの設定として前記第２の出力手段に対して出力することを特徴とする。
【００１９】
これにより、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用することができるため、オーディオ信号出力端子数を増加させることなく、サブウーハーを含めたチャンネル数が６を越えるオーディオ信号を同時に個別に出力可能な音響信号再生システムを提供することができる。
【００２０】
また、本発明に係る音響信号再生システムにおいては、前記出力切替手段は、ミュート機能を有するデジタルアナログ変換手段により構成されていることを特徴とすることができる。
【００２１】
また、本発明に係る音響信号再生システムにおいては、前記出力切替手段は、ミュート機能を有するパワーアンプにより構成されていることを特徴とすることもできる。
【００２２】
また、本発明に係る音響信号再生システムにおいては、前記音響信号再生システムは、さらに前記ヘッドフォンが接続されているか否かを検出するヘッドフォン検出手段を備え、前記出力切替手段は、前記ヘッドフォン検出手段が前記ヘッドフォンが接続されていることを検出している場合に、前記第２の出力手段が前記信号処理手段から出力された前記２チャンネルのダウンミックスオーディオ信号を出力し、かつ、前記ヘッドフォン検出手段が前記ヘッドフォンが接続されていないことを検出している場合に、前記第２の出力手段が前記信号処理手段から出力された前記Ｎチャンネルのオーディオ信号のうち、前記第１の出力手段が出力する（Ｎ−２）チャンネルのオーディオ信号を除いた２チャンネルのオーディオ信号を出力するようにさせるための制御信号を、前記外部からの設定として前記第２の出力手段に対して出力することを特徴とすることもできる。
【００２３】
なお、本発明は、このような音響信号処理装置や、音響信号再生システムとして実現することができるだけでなく、このような音響信号処理装置が備える特徴的な手段をステップとする音響信号処理方法として実現したり、それらのステップをコンピュータに実行させるプログラムとして実現したり、一体的に集積した集積回路として実現することもできる。そして、そのようなプログラムは、ＣＤ−ＲＯＭ等の記録媒体やインターネット等の伝送媒体を介して配信することができるのは言うまでもない。
【発明の効果】
【００２４】
以上の説明から明らかなように、本発明に係る音響信号処理装置や、音響信号再生システムによれば、オーディオ信号出力端子数を増加させることなく、サブウーハーを含めて６チャンネルを越えるオーディオ信号を同時に個別に出力可能な音響信号処理装置及び音響信号再生システムを提供することが可能となる。
【００２５】
よって、本発明により、多チャンネル化が図られたＤＶＤ等のソースが普及してきた今日における本願発明の実用的価値は極めて高い。
【発明を実施するための最良の形態】
【００２６】
以下、本発明の実施の形態について、図面を用いて詳細に説明する。
【００２７】
（実施の形態１）
図５は、本発明の実施の形態１に係る音響信号処理装置の構成を示す図である。なお、図５においては、Ｎ＝８の場合が示されている。
【００２８】
図５に示されるように、音響信号処理装置５０１は、デコード部５０２と、ダウンミックス部５０３と、第１の出力部５０４と、第２の出力部５０５とを備える。なお、デコード部５０２と、ダウンミックス部５０３とで、信号処理手段を構成する。
【００２９】
デコード部５０２は、オーディオ入力信号をデコード（例えばドルビープロロジックＩＩｘデコード）し、Ｌ，Ｒ，Ｃ，ＳＷ，ＳＬ，ＳＲ，ＢＬ，ＢＲの８チャンネルのオーディオ信号を出力する。
【００３０】
ダウンミックス部５０３は、デコード部５０２から出力されたＬ，Ｒ，Ｃ，ＳＷ，ＳＬ，ＳＲ，ＢＬ，ＢＲのオーディオ信号をダウンミックスして、ＤＬ，ＤＲの２チャンネルのオーディオ信号を出力する。
【００３１】
第１の出力部５０４は、６つの出力端子と、これらの出力端子に接続される６本の信号線とを有し、デコード部５０２から出力されたＬ，Ｒ，Ｃ，ＳＷ，ＳＬ，ＳＲ，ＢＬ，ＢＲのオーディオ信号のうち、ＢＬ，ＢＲを除くＬ，Ｒ，Ｃ，ＳＷ，ＳＬ，ＳＲのオーディオ信号を個別に出力する。
【００３２】
第２の出力部５０５は、２つの出力端子と、これらの出力端子に接続される２本の信号線と、２つのスイッチとを有し、デコード部５０２から出力されたＢＬ，ＢＲのオーディオ信号と、ダウンミックス部５０３から出力されたＤＬ，ＤＲのオーディオ信号が入力され、外部からの設定（指示）に基づいて、ＢＬ，ＢＲのオーディオ信号と、ＤＬ，ＤＲのオーディオ信号とのいずれか一方を選択して出力する。つまり、ＢＬ，ＢＲのオーディオ信号と、ＤＬ，ＤＲのオーディオ信号とを排他的に出力する。
【００３３】
このような構成により、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用することができるため、オーディオ信号出力端子数を増加させることなく、サブウーハーを含めたチャンネル数が６を越えるオーディオ信号を同時に個別に出力可能な音響信号処理装置を提供することができる。
【００３４】
なお、本実施の形態１では、デコード部５０２において８チャンネルにデコードする場合について説明したが、デコード部５０２においてＬ，Ｒ，Ｃ，ＳＷ，ＳＬ，ＳＲ，ＳＣの７チャンネルのオーディオ信号にデコードし、ＳＣのオーディオ信号をＢＬとＢＲとのオーディオ信号に分割して出力するようにしてもよい。
【００３５】
また、本実施の形態１では、ＢＬ，ＢＲのオーディオ信号を第２の出力部５０５に入力しているが、デコード部５０２から出力された任意の２個のチャンネルのオーディオ信号を入力してもかまわない。この場合には、第２の出力部５０５に入力した残りのオーディオ信号を第１の出力部５０４を介して出力すればよい。
【００３６】
また、本実施の形態１では、ドルビープロロジックＩＩｘデコードの場合について説明したが、他の方式のデコードの場合についても本願発明を適用してもよい。
【００３７】
（実施の形態２）
なお、デコード部５０２を、オーディオ入力信号に含まれるチャンネル数、あるいは外部からの設定に基づき、Ｋ（Ｋ：Ｋ＜Ｎの自然数）チャンネルのオーディオ信号にデコードする場合に、（Ｎ−Ｋ）チャンネルの無音信号を出力するように構成してもよい。
【００３８】
ここで、Ｎ＝８の場合について図５を参照して説明する。
【００３９】
デコード部５０２においてＬ，Ｒ，Ｃ，ＳＷ，ＳＬ，ＳＲの６チャンネルのオーディオ信号にデコード（例えばドルビーデジタルデコード）する場合、Ｋ＝６となり、Ｎ−Ｋ＝２である。この場合、デコード部５０２は、ＢＬ，ＢＲとして無音信号を出力する。
【００４０】
これにより、６チャンネルのオーディオ信号にデコードする場合で第２の出力部５０５においてＢＬ、ＢＲを出力するよう設定された場合でも、ＢＬ，ＢＲからノイズが出力されることを防ぐことができる。
【００４１】
また、デコード部５０２においてＬ、Ｒ，Ｃ，ＳＷ，ＳＬ，ＳＲ，ＳＣ（出力端子はＳＬ）の７チャンネルのオーディオ信号にデコード（例えばドルビーデジタルＥＸデコード）する場合は、Ｋ＝７となり、Ｎ−Ｋ＝１である。この場合、デコード部５０２のＢＬ出力からＳＣチャンネルオーディオ信号を出力し、ＢＲ出力から無音信号を出力すればよい。
【００４２】
（実施の形態３）
図６は、本発明の実施の形態３に係る音響信号処理装置の構成を示す図である。なお、図６においては、Ｎ＝７の場合が示されている。
【００４３】
図６に示されるように、音響信号処理装置６０１は、デコード部６０２と、ダウンミックス部６０３と、第１の出力部６０４と、第２の出力部６０５とを備える。なお、デコード部６０２と、ダウンミックス部６０３と、第１の出力部６０４と、第２の出力部６０５とは、処理するオーディオ信号のチャンネル数やそのオーディオ信号の種別が異なる点を除き、上述した音響信号処理装置５０１のデコード部５０２、ダウンミックス部５０３、第１の出力部５０４、第２の出力部５０５と同機能を有している。
【００４４】
つまり、デコード部６０２は、オーディオ入力信号をデコード（例えばドルビーデジタルＥＸデコード）し、Ｌ，Ｒ，Ｃ，ＳＷ，ＳＬ，ＳＲ，ＳＣの７チャンネルのオーディオ信号を出力する。
【００４５】
ダウンミックス部６０３は，デコード部６０２から出力されたＬ，Ｒ，Ｃ，ＳＷ，ＳＬ，ＳＲ，ＳＣのオーディオ信号をダウンミックスして、ＤＬ，ＤＲの２チャンネルのオーディオ信号を出力する。
【００４６】
第１の出力部６０４は、デコード部６０２から出力されたＬ，Ｒ，Ｃ，ＳＷ，ＳＬ，ＳＲ，ＳＣの７チャンネルのオーディオ信号のうち、ＳＬ，ＳＲを除くＬ，Ｒ，Ｃ，ＳＷ，ＳＣの５チャンネルのオーディオ信号を個別に出力する。
【００４７】
第２の出力部６０５は、デコード部６０２から出力されたＳＬ，ＳＲのオーディオ信号と、ダウンミックス部６０３から出力されたＤＬ，ＤＲのオーディオ信号が入力され、外部からの設定（指示）に基づいて、ＳＬ，ＳＲのオーディオ信号と、ＤＬ，ＤＲのオーディオ信号とのいずれか一方を選択して出力する。
【００４８】
これによっても、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用することができるため、オーディオ信号出力端子数を増加させることなく、サブウーハーを含めたチャンネル数が６を越えるオーディオ信号を同時に個別に出力可能な音響信号処理装置を提供することができる。
【００４９】
なお、本実施の形態３では、ＳＬ，ＳＲのオーディオ信号を第２の出力部６０５に入力しているが、デコード部６０２から出力された任意の２個のチャンネルのオーディオ信号を入力してもかまわない。この場合には、第２の出力部６０５に入力した残りのオーディオ信号を第１の出力部６０４を介して出力すればよい。
【００５０】
また、本実施の形態３では、ドルビーデジタルＥＸデコードの場合について説明したが、他の方式のデコードの場合についても本願発明を適用してもよい。
【００５１】
さらに、上記実施の形態１，３ではＮ＝８，７の場合について説明したが、Ｎ＝６の場合についても、本願発明を適用してもよい。
【００５２】
また、デコード部６０２に、オーディオ入力信号に含まれるチャンネル数、あるいは外部からの設定に基づき、Ｋ（Ｋ：Ｋ＜Ｎの自然数）チャンネルのオーディオ信号にデコードする場合に、（Ｎ−Ｋ）チャンネルの無音信号を出力するようにしてもよい。
【００５３】
（実施の形態４）
図７は、本発明の実施の形態４に係る音響信号処理装置の構成を示す図である。なお、図７においては、Ｍ＝６、Ｎ＝８の場合が示されている。
【００５４】
図７に示されるように、音響信号処理装置７０１は、デコード部７０２と、ダウンミックス部７０３と、第１の出力部７０４と、第２の出力部７０５との他、さらにチャンネル拡張部７０６を備える。なお、デコード部７０２と、ダウンミックス部７０３と、第１の出力部７０４と、第２の出力部７０５とは、処理するオーディオ信号のチャンネル数やそのオーディオ信号の種別が異なる点を除き、上述した音響信号処理装置５０１，６０１のデコード部５０２，６０２、ダウンミックス部５０３，６０３、第１の出力部５０４，６０４、第２の出力部５０５，６０５と同機能を有している。また、この実施の形態においては、デコード部７０２と、ダウンミックス部７０３と、チャンネル拡張部７０６とで、信号処理手段を構成する。
【００５５】
つまり、デコード部７０２は、オーディオ入力信号をデコード（例えばドルビーデジタルデコード）し、Ｌ，Ｒ，Ｃ，ＳＷ，ＳＬ，ＳＲの６チャンネルのオーディオ信号を出力する。
【００５６】
ダウンミックス部７０３は、デコード部７０２から出力されたＬ，Ｒ，Ｃ，ＳＷ，ＳＬ，ＳＲのオーディオ信号をダウンミックスして、ＤＬ，ＤＲの２チャンネルのオーディオ信号を出力する。
【００５７】
チャンネル拡張部７０６は、デコード部７０２から出力されたＬ，Ｒ，Ｃ，ＳＷ，ＳＬ，ＳＲの６チャンネルのオーディオ信号についてチャンネル拡張処理（例えばプロロジックＩＩｘデコード）を行い、このチャンネル拡張処理によりＬ，Ｒ，Ｃ，ＳＷ，ＳＬ，ＳＲ，ＢＬ，ＢＲの８チャンネルのオーディオ信号を出力する。
【００５８】
第１の出力部７０４は、チャンネル拡張部７０６から出力されたＬ，Ｒ，Ｃ，ＳＷ，ＳＬ，ＳＲ，ＢＬ，ＢＲのうち、ＢＬ，ＢＲを除くＬ，Ｒ，Ｃ，ＳＷ，ＳＬ，ＳＲのオーディオ信号を個別に出力する。
【００５９】
第２の出力部７０５は、チャンネル拡張部７０６から出力されたＢＬ，ＢＲのオーディオ信号と、ダウンミックス部７０３から出力されたＤＬ，ＤＲのオーディオ信号がそれぞれ入力され、外部からの設定（指示）に基づいて、ＢＬ，ＢＲのオーディオ信号と、ＤＬ，ＤＲのオーディオ信号とのいずれか一方を選択して出力する。
【００６０】
これによっても、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用することができるため、オーディオ信号出力端子数を増加させることなく、サブウーハーを含めたチャンネル数が６を越えるオーディオ信号を同時に個別に出力可能な音響信号処理装置を提供することができる。
【００６１】
そして、５．１チャンネルのソースが大半で、それを越える多チャンネルのソースが少ない現状の下においても、５．１チャンネルのソースからそれを越える多チャンネルのオーディオ信号を出力することができ、実用的価値を高めることができる。
【００６２】
なお、本実施の形態４では、チャンネル拡張部７０６においてＬ，Ｒ，Ｃ，ＳＷ，ＳＬ，ＳＲ，ＳＣの７チャンネルのオーディオ信号に拡張（例えばドルビーデジタルＥＸデコード）し、ＳＣをＢＬとＢＲに分割して出力してもよい。
【００６３】
また、本実施の形態４では、ＢＬ，ＢＲを第２の出力部に入力しているが、チャンネル拡張部７０６から出力された任意の２個のチャンネルのオーディオ信号を入力してもかまわない。
【００６４】
（実施の形態５）
なお、この音響信号処理装置７０１においても、チャンネル拡張部７０６を、オーディオ入力信号に含まれるチャンネル数、あるいは外部からの設定に基づき、Ｌ（Ｌ：Ｎ＞Ｌ≧Ｍの自然数）チャンネルのオーディオ信号にチャンネル拡張する場合に、（Ｎ−Ｌ）チャンネルの無音信号を出力するように構成してもよい。
【００６５】
ここでは、Ｍ＝６、Ｎ＝８の場合が示されている。
【００６６】
チャンネル拡張部７０６においてチャンネル拡張処理を行わない場合、Ｌ＝６、Ｎ−Ｌ＝２となる。
【００６７】
この場合、チャンネル拡張部７０６はＬ，Ｒ，Ｃ，ＳＷ，ＳＬ，ＳＲについては入力信号をそのまま出力し、ＢＬ，ＢＲに対しては無音信号を出力する。これにより、チャンネル拡張処理を行わない場合で第２の出力部７０５においてＢＬ，ＢＲを出力するよう設定された場合でも、ＢＬ，ＢＲからノイズが出力されることを防ぐことができる。
【００６８】
また、チャンネル拡張部７０６においてＬ，Ｒ，Ｃ，ＳＷ，ＳＬ，ＳＲ，ＳＣの７チャンネルのオーディオ信号に拡張処理（例えばドルビーデジタルＥＸデコード）する場合はＬ＝７であり、Ｎ−Ｌ＝１となる。この場合、チャンネル拡張部７０６のＢＬ出力からＳＣチャンネルオーディオ信号を出力し、ＢＲ出力から無音信号を出力すればよい。
【００６９】
（実施の形態６）
図８は、本発明の実施の形態６に係る音響信号再生システムの全体構成を示す図である。なお、ここでは、Ｎ＝８の場合が図示されている。
【００７０】
図８に示されるように、音響信号再生システム８００は、音響信号処理装置８０１と、ＤＡＣ（Ｄｉｇｉｔａｌ−Ａｎａｌｏｇ  Ｃｏｎｖｅｒｔｅｒ）８１１〜８１８と、出力切替部８０７と、パワーアンプ８２１〜８３０と、スピーカ８３１〜８３８と、ヘッドフォン８４１とから構成される。
【００７１】
音響信号処理装置８０１の第１の出力部８０４から出力されたＬ，Ｒ，Ｃ，ＳＷ，ＳＬ，ＳＲのオーディオ信号は、各チャンネル個別にＤＡＣ８１１〜８１６に接続され、アナログ信号に変換された後、パワーアンプ８２１〜８２６にて増幅されてスピーカ８３１〜８３６から再生される。
【００７２】
一方、音響信号処理装置８０１の第２の出力部８０５から出力されたＢＬ，ＢＲと、ＤＬ，ＤＲとのいずれか一方のオーディオ信号はＤＡＣ８１７，８１８にてアナログ信号に変換された後、外部からの設定にしたがって出力切替部８０７にてスピーカ出力するかまたはヘッドフォン出力するか選択される。
【００７３】
出力切替部８０７にてスピーカ出力するよう設定された場合、出力切替部８０７から第２の出力部８０５に対してＢＬ，ＢＲのオーディオ信号を選択するよう制御信号を出力し、出力切替部８０７はパワーアンプ８２７，８２８に対してＢＬ，ＢＲのオーディオ信号を出力する。パワーアンプ８２７，８２８にてＢＬ、ＢＲのオーディオ信号が増幅され、スピーカ８３７，８３８から再生される。
【００７４】
出力切替部８０７にてヘッドフォン出力するよう設定された場合、出力切替部８０７から第２の出力部８０５に対してＤＬ，ＤＲのオーディオ信号を選択するよう制御信号を出力し、出力切替部８０７は、パワーアンプ８２９，８３０に対してＤＬ，ＤＲのオーディオ信号を出力する。パワーアンプ８２９，８３０にてＤＬ，ＤＲのオーディオ信号が増幅され、ヘッドフォン８４１から再生される。なお、この場合、ＤＡＣ８１１〜８１６あるいはパワーアンプ８２１〜８２６などでスピーカ出力をミュートすればよい。
【００７５】
これにより、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用することができるため、オーディオ信号出力端子数を増加させることなく、サブウーハーを含めたチャンネル数が６を越えるオーディオ信号を同時に個別に出力可能な音響信号処理装置を提供することができる。
【００７６】
（実施の形態７）
図９は、本発明の実施の形態７に係る音響信号再生システムの全体構成を示す図である。なお、ここでは、Ｎ＝８の場合が図示されている。
【００７７】
図９に示されるように、音響信号再生システム９００は、音響信号処理装置９０１と、ＤＡＣ９１１〜９２０と、パワーアンプ９２１〜９３０と、スピーカ９３１〜９３８と、ヘッドフォン９４１とから構成される。なお、ＤＡＣ９１７〜９２０により、出力切替部９０７が構成される。
【００７８】
音響信号処理装置９０１の第１の出力部９０４から出力されたＬ，Ｒ，Ｃ，ＳＷ，ＳＬ，ＳＲのオーディオ信号は各チャンネル個別にＤＡＣ９１１〜９１６に接続され、アナログ信号に変換された後、パワーアンプ９２１〜９２６にて増幅されてスピーカ９３１〜９３６から再生される。
【００７９】
一方、第２の出力部９０５から出力されたＢＬ，ＢＲまたはＤＬ，ＤＲのオーディオ信号は、４つのＤＡＣ９１７〜９２０に入力される。
【００８０】
ＢＬ，ＢＲのオーディオ信号をスピーカ９３７，９３８から出力する場合は、出力切替部９０７は、第２の出力部９０５に対してＢＬ，ＢＲのオーディオ信号を選択するよう制御信号を出力し、ＤＡＣ９１９，９２０にてヘッドフォン出力をミュートする。
【００８１】
これにより、パワーアンプ９２７，９２８にて増幅されたＢＬ，ＢＲのオーディオ信号がスピーカ９３７，９３８から再生され、ヘッドフォン９４１からは無音が出力される。
【００８２】
ＤＬ，ＤＲのオーディオ信号をヘッドフォン９４１から出力する場合は、出力切替部９０７は第２の出力部９０５に対してＤＬ，ＤＲのオーディオ信号を選択するよう制御信号を出力し、ＤＡＣ９１７，９１８にてスピーカ出力をミュートする。
【００８３】
これにより、パワーアンプ９２９，９３０にて増幅されたＤＬ，ＤＲのオーディオ信号がヘッドフォン９４１から再生され、スピーカ９３７，９３８からは無音が出力される。
【００８４】
なお、この場合、ＤＡＣ９１１〜９１６あるいはパワーアンプ９２１〜９２６などでスピーカ出力をミュートすればよい。
【００８５】
これにより、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用することができるため、オーディオ信号出力端子数を増加させることなく、サブウーハーを含めたチャンネル数が６を越えるオーディオ信号を同時に個別に出力可能な音響信号処理装置を提供することができる。
【００８６】
（実施の形態８）
図１０は、本発明の実施の形態８に係る音響信号再生システムの全体構成を示す図である。なお、ここでは、Ｎ＝８の場合が図示されている。
【００８７】
図１０に示されるように、音響信号再生システム１０００は、音響信号処理装置１００１と、ＤＡＣ１０１１〜１０１８と、パワーアンプ１０２１〜１０３０と、スピーカ１０３１〜１０３８と、ヘッドフォン１０４１とから構成される。なお、パワーアンプ１０２７〜１０３０により、出力切替部１００７が構成される。
【００８８】
第１の出力部１００４から出力されたオーディオ信号（Ｌ，Ｒ，Ｃ，ＳＷ，ＳＬ，ＳＲ）は各チャンネル個別にＤＡＣ１０１１〜１０１６に接続され、アナログ信号に変換された後、パワーアンプ１０２１〜１０２６にて増幅されてスピーカ１０３１〜１０３６から再生される。
【００８９】
一方、第２の出力部１００５から出力されたオーディオ信号（ＢＬ，ＢＲまたはＤＬ，ＤＲ）は、２つのＤＡＣ１０１７，１０１８に入力されてアナログ信号に変換された後、出力切替部１００７に入力される。
【００９０】
ＢＬ，ＢＲのオーディオ信号をスピーカ１０３７，１０３８から出力する場合は、出力切替部１００７は第２の出力部１００５に対してＢＬ，ＢＲのオーディオ信号を選択するよう制御信号を出力し、パワーアンプ１０２９，１０３０にてヘッドフォン出力をミュートする。これにより、パワーアンプ１０２７，１０２８にて増幅されたＢＬ，ＢＲのオーディオ信号がスピーカ１０３７，１０３８から再生され、ヘッドフォン１０４１からは無音が出力される。
【００９１】
ＤＬ，ＤＲのオーディオ信号をヘッドフォン１０４１から出力する場合は、出力切替部１００７は第２の出力部１００５に対してＤＬ，ＤＲのオーディオ信号を選択するよう制御信号を出力し、パワーアンプ１０２７，１０２８にてスピーカ出力をミュートする。これにより、パワーアンプ１０２９，１０３０にて増幅されたＤＬ，ＤＲのオーディオ信号がヘッドフォン１０４１から再生され、スピーカ１０３７，１０３８からは無音が出力される。なお、この場合、ＤＡＣ１０１１〜１０１６あるいはパワーアンプ１０２１〜１０２６などでスピーカ出力をミュートすればよい。
【００９２】
これにより、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用することができるため、オーディオ信号出力端子数を増加させることなく、サブウーハーを含めたチャンネル数が６を越えるオーディオ信号を同時に個別に出力可能な音響信号処理装置を提供することができる。
【００９３】
（実施の形態９）
図１１は、本発明の実施の形態９に係る音響信号再生システムの全体構成を示す図である。なお、ここでは、Ｎ＝８の場合が図示されている。
【００９４】
図１１に示されるように、音響信号再生システム１１００は、音響信号処理装置１１０１と、ＤＡＣ１１１１〜１１１８と、パワーアンプ１１２１〜１１３０と、スピーカ１１３１〜１１３８と、ヘッドフォン１１４１との他、ヘッドフォン検出部１１０９と、出力切替部１１０７とをさらに備えて構成される。
【００９５】
ヘッドフォン差込口にヘッドフォン検出部１１０９を設けておき、ヘッドフォン検出部１１０９においてヘッドフォンが検出されない場合は、出力切替部１１０７にスピーカから出力するよう設定する。このとき、出力切替部１１０７から第２の出力部１１０５に対してＢＬ，ＢＲのオーディオ信号を選択するよう制御信号を出力する。ヘッドフォン検出部１１０９においてヘッドフォンが検出された場合は、出力切替部１１０７にヘッドフォン出力するよう設定する。このとき、出力切替部１１０７から第２の出力部１１０５に対してＤＬ，ＤＲのオーディオ信号を選択するよう制御信号を出力する。
【００９６】
これによっても、２個の出力端子がダウンミックスオーディオ信号出力端子として機能することと、Ｎチャンネル中の２チャンネルのオーディオ信号出力端子として機能することとを排他的に切り替えることができ、２つの出力端子を有効に利用することができるため、オーディオ信号出力端子数を増加させることなく、サブウーハーを含めたチャンネル数が６を越えるオーディオ信号を同時に個別に出力可能な音響信号処理装置を提供することができる。
【産業上の利用可能性】
【００９７】
本発明は、マルチチャンネルオーディオ信号のデコードを行う音響信号処理装置あるいはこれを用いた音響信号再生システムとして有効であり、オーディオ専用のプレーヤや、オーディオに映像を加えたプレーヤ、あるいはＡＶアンプ等に適用するのに適している。
【図面の簡単な説明】
【００９８】
【図１】図１は、５．１チャンネルのマルチチャンネルサラウンドシステムを示す図である。
【図２】図２は、６．１チャンネルのマルチチャンネルサラウンドシステムを示す図である。
【図３】図３は、７．１チャンネルのマルチチャンネルサラウンドシステムを示す図である。
【図４】図４は、従来の５．１チャンネルサラウンドのオーディオ信号処理装置の構成を示す図である。
【図５】図５は、本発明の実施の形態１，２に係る音響信号処理装置の構成を示す図である。
【図６】図６は、本発明の実施の形態３に係る音響信号処理装置の構成を示す図である。
【図７】図７は、本発明の実施の形態４，５に係る音響信号処理装置の構成を示す図である。
【図８】図８は、本発明の実施の形態６に係る音響信号再生システムの全体構成を示す図である。
【図９】図９は、本発明の実施の形態７に係る音響信号再生システムの全体構成を示す図である。
【図１０】図１０は、本発明の実施の形態８に係る音響信号再生システムの全体構成を示す図である。
【図１１】図１１は、本発明の実施の形態９に係る音響信号再生システムの全体構成を示す図である。
【符号の説明】
【００９９】
５０１，６０１，７０１，８０１，
９０１，１００１，１１０１              音響信号処理装置
５０２，６０２，７０２                    デコード部
５０３，６０３，７０３                    ダウンミックス部
５０４，６０４，７０４，８０４，
９０４，１００４，１１０４              第１の出力部
５０５，６０５，７０５，
８０５，９０５，１００５，１１０５      第２の出力部
７０６                                    チャンネル拡張部
８００，９００，１０００，１１００        音響信号再生システム
８０７，９０７，１００７                  出力切替部
８１１〜８１８，９１１〜９２０，
１０１１〜１０１８，１１１１〜１１１８  ＤＡＣ
８２１〜８３０，９２１〜９３０，
１０２１〜１０３０，１１２１〜１１３０  パワーアンプ
８３１〜８３８，９３１〜９３８，
１０３１〜１０３８，１１３１〜１１３８  スピーカ
８４１，９４１，１０４１，１１４１        ヘッドフォン
１１０９                                  ヘッドフォン検出部
【手続補正３】
【補正対象書類名】図面
【補正対象項目名】全図
【補正方法】変更
【補正の内容】
【図１】
2005120132.tif 000013
【図２】
2005120132.tif 000014
【図３】
2005120132.tif 000015
【図４】
2005120132.tif 000016
【図５】
2005120132.tif 000017
【図６】
2005120132.tif 000018
【図７】
2005120132.tif 000019
【図８】
2005120132.tif 000020
【図９】
2005120132.tif 000021
【図１０】
2005120132.tif 000022
【図１１】
2005120132.tif 000023
【国際調査報告】
2005120132.tif 000024
2005120132.tif 000025
2005120132.tif 000026
2005120132.tif 000027